(57)【要約】【課題】より容易にネットワークに接続することが可能な無線通信装置、無線通信方法及びプログラムを提供する。【解決手段】第１のネットワークに接続して無線通信を行う第１の無線通信部と、前記第１の無線通信部により受信された他の無線通信装置の接続先選択ポリシーに対応する第２のネットワークへの、前記他の無線通信装置に関連する無線端末による接続を支援する制御部と、を備える無線通信装置。【選択図】図１
2016125356.tif 000002
【特許請求の範囲】
【請求項１】
第１のネットワークに接続して無線通信を行う第１の無線通信部と、
前記第１の無線通信部により受信された他の無線通信装置の接続先選択ポリシーに対応する第２のネットワークへの、前記他の無線通信装置に関連する無線端末による接続を支援する制御部と、
を備える無線通信装置。
【請求項２】
前記無線通信装置は、前記第２のネットワークを形成して前記無線端末と無線通信を行う第２の無線通信部をさらに含み、
前記制御部は、前記接続先選択ポリシーが受信された場合に前記第２のネットワークを形成するよう前記第２の無線通信部を制御する、請求項１に記載の無線通信装置。
【請求項３】
前記接続先選択ポリシーは、通信方式、優先順位及び識別情報に関する情報を含む、請求項２に記載の無線通信装置。
【請求項４】
前記制御部は、前記接続先選択ポリシーに含まれる優先順位の高い識別情報を用いて前記第２のネットワークを形成するよう前記第２の無線通信部を制御する、請求項３に記載の無線通信装置。
【請求項５】
前記第２の無線通信部は、無線ＬＡＮのアクセスポイントとして又はＷｉ−Ｆｉ  Ｄｉｒｅｃｔ（登録商標）のＰ２Ｐ  Ｇｒｕｏｐ  Ｏｗｎｅｒとして前記第２のネットワークを形成する、請求項２に記載の無線通信装置。
【請求項６】
前記制御部は、前記無線端末と前記第１のネットワークとの通信を中継するよう前記第１の無線通信部及び前記第２の無線通信部を制御する、請求項２に記載の無線通信装置。
【請求項７】
前記制御部は、前記接続先選択ポリシーに基づいて、前記無線端末の接続先を選択する、請求項１に記載の無線通信装置。
【請求項８】
前記制御部は、自身の前記接続先選択ポリシーにさらに基づいて、前記無線端末の接続先を選択する、請求項７に記載の無線通信装置。
【請求項９】
前記第１の無線通信部は、前記無線端末とのリンクを確立するために用いられるリンク情報を受信する、請求項７に記載の無線通信装置。
【請求項１０】
前記リンク情報は、前記無線端末を識別するための識別情報を含む、請求項９に記載の無線通信装置。
【請求項１１】
前記無線通信装置は、
前記第１のネットワークへの加入者識別情報を格納する格納部と、
前記リンク情報を用いて前記無線端末との無線通信を行う第３の無線通信部と、
をさらに備え、
前記制御部は、前記無線端末による前記第２のネットワークへのＥＡＰ（Extensible  Authentication  Protocol）認証のための認証情報を前記格納部に格納された前記加入者識別情報を用いて生成して、前記第３の無線通信部により前記無線端末へ送信する、請求項９に記載の無線通信装置。
【請求項１２】
前記第１のネットワークは、移動体通信網であり、
前記第２のネットワークは、公衆無線ＬＡＮである、請求項１に記載の無線通信装置。
【請求項１３】
第１のネットワークに接続して無線通信を行う第１の無線通信部と、
自身に関連する無線端末による第２のネットワークへの接続を支援する他の無線通信装置へ前記第１のネットワークを経由して接続先選択ポリシーを送信するよう前記第１の無線通信部を制御する制御部と、
を備える無線通信装置。
【請求項１４】
前記制御部は、周囲に前記第２のネットワークが存在する場合に、前記無線端末とのリンクを確立するために用いられるリンク情報を送信するよう前記第１の無線通信部を制御する、請求項１３に記載の無線通信装置。
【請求項１５】
前記無線通信装置は、
前記第１のネットワークへの加入者識別情報を格納する格納部と
前記無線端末との無線通信を行う第３の無線通信部と、
をさらに備え、
前記制御部は、前記無線端末による前記第２のネットワークへのＥＡＰ認証のための認証情報を前記格納部に格納された前記加入者識別情報を用いて生成して、前記第３の無線通信部により前記無線端末へ送信する、請求項１３に記載の無線通信装置。
【請求項１６】
前記制御部は、自身の位置情報を送信するよう前記第１の無線通信部を制御する、請求項１３に記載の無線通信装置。
【請求項１７】
第１のネットワークに接続して無線通信を行う無線通信装置により、
受信された他の無線通信装置の接続先選択ポリシーに対応する第２のネットワークへの、前記他の無線通信装置に関連する無線端末による接続を支援すること、
を含む無線通信方法。
【請求項１８】
第１のネットワークに接続して無線通信を行う無線通信装置により、
自身に関連する無線端末による第２のネットワークへの接続を支援する他の無線通信装置へ前記第１のネットワークを経由して接続先選択ポリシーを送信すること、
を含む無線通信方法。
【請求項１９】
コンピュータを、
第１のネットワークに接続して無線通信を行う第１の無線通信部と、
前記第１の無線通信部により受信された他の無線通信装置の接続先選択ポリシーに対応する第２のネットワークへの、前記他の無線通信装置に関連する無線端末による接続を支援する制御部と、
として機能させるためのプログラム。
【請求項２０】
コンピュータを、
第１のネットワークに接続して無線通信を行う第１の無線通信部と、
自身に関連する無線端末による第２のネットワークへの接続を支援する他の無線通信装置へ前記第１のネットワークを経由して接続先選択ポリシーを送信するよう前記第１の無線通信部を制御する制御部と、
として機能させるためのプログラム。
【発明の詳細な説明】
【技術分野】
【０００１】
本開示は、無線通信装置、無線通信方法及びプログラムに関する。
【背景技術】
【０００２】
近年、インターネットを用いた多様なサービスが登場してきており、外出先でも容易にインターネットにアクセスする手段が求められている。例えばスマートフォン及び携帯電話等のＷＷＡＮ（Wireless  Wide  Area  Network）通信機能を有する端末は、外出先であっても、移動体通信網を介してインターネットにアクセスすることが可能である。一方、ＷＷＡＮ通信機能を有さない端末は、無線ＬＡＮ（ＷＬＡＮ：Wireless  Local  Area  Network）等の他の通信方式を用いてインターネットにアクセスすることが要されていた。ＷＬＡＮ等のネットワークへ接続する際は、アクセスポイントの検索、ＩＤ（identifier）及びパスワードの入力等の処理が要される場合があり、このような処理をより容易にするための技術が求められている。【０００３】
ここで、装置間での直接的な通信が困難な場合に、リレー局を挟むことで装置間の通信を可能にする技術がある。例えば、下記特許文献１では、複数の移動局の中から受信電力又は受信品質に基づいて選択された移動局をリレー局として動作させて、他の移動局による通信を中継させる技術が開示されている。
【先行技術文献】
【特許文献】
【０００４】
【特許文献１】特開２０１１−２９９９０号公報
【発明の概要】
【発明が解決しようとする課題】
【０００５】
上記特許文献１に開示されたような、リレー局として他の無線端末による通信を中継することでインターネットへのアクセスを可能にする技術として、いわゆるテザリングがある。しかし、テザリングにおいては、テザリングのための親機として動作させる端末は、同一のユーザが使用する端末に限られることが一般的である等の様々な制約が存在するため、端末によるインターネットへのアクセスが困難な場合があった。【０００６】
そこで、本開示では、より容易にネットワークに接続することが可能な、新規かつ改良された無線通信装置、無線通信方法及びプログラムを提案する。
【課題を解決するための手段】
【０００７】
本開示によれば、第１のネットワークに接続して無線通信を行う第１の無線通信部と、前記第１の無線通信部により受信された他の無線通信装置の接続先選択ポリシーに対応する第２のネットワークへの、前記他の無線通信装置に関連する無線端末による接続を支援する制御部と、を備える無線通信装置が提供される。【０００８】
また、本開示によれば、第１のネットワークに接続して無線通信を行う第１の無線通信部と、自身に関連する無線端末による第２のネットワークへの接続を支援する他の無線通信装置へ前記第１のネットワークを経由して接続先選択ポリシーを送信するよう前記第１の無線通信部を制御する制御部と、を備える無線通信装置が提供される。【０００９】
また、本開示によれば、第１のネットワークに接続して無線通信を行う無線通信装置により、受信された他の無線通信装置の接続先選択ポリシーに対応する第２のネットワークへの、前記他の無線通信装置に関連する無線端末による接続を支援すること、を含む無線通信方法が提供される。【００１０】
また、本開示によれば、第１のネットワークに接続して無線通信を行う無線通信装置により、自身に関連する無線端末による第２のネットワークへの接続を支援する他の無線通信装置へ前記第１のネットワークを経由して接続先選択ポリシーを送信すること、を含む無線通信方法が提供される。【００１１】
また、本開示によれば、コンピュータを、第１のネットワークに接続して無線通信を行う第１の無線通信部と、前記第１の無線通信部により受信された他の無線通信装置の接続先選択ポリシーに対応する第２のネットワークへの、前記他の無線通信装置に関連する無線端末による接続を支援する制御部と、として機能させるためのプログラムが提供される。【００１２】
また、本開示によれば、コンピュータを、第１のネットワークに接続して無線通信を行う第１の無線通信部と、自身に関連する無線端末による第２のネットワークへの接続を支援する他の無線通信装置へ前記第１のネットワークを経由して接続先選択ポリシーを送信するよう前記第１の無線通信部を制御する制御部と、として機能させるためのプログラムが提供される。
【発明の効果】
【００１３】
以上説明したように本開示によれば、より容易にネットワークに接続することが可能となる。なお、上記の効果は必ずしも限定的なものではなく、上記の効果とともに、または上記の効果に代えて、本明細書に示されたいずれかの効果、または本明細書から把握され得る他の効果が奏されてもよい。
【図面の簡単な説明】
【００１４】
【図１】本開示の一実施形態に係る無線通信システムの概要について説明するための図である。
【図２】本開示の一実施形態に係る無線通信システムの概要について説明するための図である。
【図３】本実施形態に係る無線通信システムの構成の一例を示すブロック図である。
【図４】本実施形態に係る無線通信システムの構成の一例を示すブロック図である。
【図５】本実施形態に係るＷＬＡＮ端末の論理的な構成の一例を示すブロック図である。
【図６】本実施形態に係るＷＷＡＮ端末の論理的な構成の一例を示すブロック図である
【図７】本実施形態に係るＷＷＡＮ端末におけるＵＩの一例を示す図である。
【図８】本実施形態に係る接続先選択ポリシーの一例を説明するための説明図である。
【図９】本実施形態に係る位置情報の一例を説明するための説明図である。
【図１０】本本実施形態に係る無線通信システムにおいて実行される接続処理の流れの一例を示すシーケンス図である。
【図１１】本実施形態に係る無線通信システムにおいて実行されるＥＡＰ認証処理の流れの一例を示すシーケンス図である。
【図１２】本実施形態に係る無線通信システムにおいて実行されるＥＡＰ認証処理の流れの一例を示すシーケンス図である。
【図１３】本本実施形態に係る無線通信システムにおいて実行される接続処理の流れの一例を示すシーケンス図である。
【図１４】スマートフォンの概略的な構成の一例を示すブロック図である。
【図１５】カーナビゲーション装置の概略的な構成の一例を示すブロック図である。
【発明を実施するための形態】
【００１５】
以下に添付図面を参照しながら、本開示の好適な実施の形態について詳細に説明する。なお、本明細書及び図面において、実質的に同一の機能構成を有する構成要素については、同一の符号を付することにより重複説明を省略する。
【００１６】
また、本明細書及び図面において、実質的に同一の機能構成を有する要素を、同一の符号の後に異なるアルファベットを付して区別する場合もある。例えば、実質的に同一の機能構成を有する複数の要素を、必要に応じてＷＷＡＮ端末２００Ａ、２００Ｂ及び２００Ｃのように区別する。ただし、実質的に同一の機能構成を有する複数の要素の各々を特に区別する必要がない場合、同一符号のみを付する。例えば、ＷＷＡＮ端末２００Ａ、２００Ｂ及び２００Ｃを特に区別する必要が無い場合には、単にＷＷＡＮ端末２００と称する。
【００１７】
なお、説明は以下の順序で行うものとする。
１．概要
１．１．システムの概略的な構成
１．２．技術的な課題
２．構成例
２．１．無線通信システムの構成例
２．２．ＷＬＡＮ端末の構成例
２．３．ＷＷＡＮ端末の構成例
３．技術的特徴
４．動作処理例
５．応用例
６．まとめ
【００１８】
＜＜１．概要＞＞
＜１．１．システムの概略的な構成＞
まず、図１、図２を参照して、本開示の一実施形態に係る無線通信システム１の概要について説明する。
【００１９】
図１及び図２は、本開示の一実施形態に係る無線通信システム１の概要について説明するための図である。図１及び図２に示す例では、無線通信システム１は、無線通信装置１００及び無線通信装置２００（２００Ａ及び２００Ｂ）を含む。
【００２０】
無線通信装置１００は、他の装置との無線通信が可能な無線端末である。図１及び図２の例では、無線通信装置１００は、ノートＰＣである。無線通信装置１００は、例えばＩＥＥＥ（Institute  of  Electrical  and  Electronics  Engineers）８０２．１１ａ、１１ｂ、１１ｇ、１１ｎ、１１ａｃ又は１１ａｄなどの通信方式に従って、ＷＬＡＮに接続することができるＷＬＡＮ端末である。図１に示すように、ＷＬＡＮ端末１００は、基地局５１０を介して無線ネットワーク５００に接続し、サービスネットワーク４００により提供されるサービスを利用可能である。また、ＷＬＡＮ端末１００は、無線通信装置２００との無線接続を形成することができる。この無線接続は、例えばＢｌｕｅｔｏｏｔｈ（登録商標）、ＮＦＣ（Near  field  communication）等の任意の通信方式に従って形成され得る。ＷＬＡＮ端末１００は、例えばユーザの自宅等で運用されるＷＬＡＮなどのネットワーク情報が既知のＷＬＡＮとの接続は可能であるが、外出先等のネットワーク情報が未知のＷＬＡＮとの接続は困難である。なお、無線通信装置１００は、ノートＰＣ以外にも、ＰＣ、タブレット端末、ＰＤＡ（Ｐｅｒｓｏｎａｌ  Ｄｉｇｉｔａｌ  Ａｓｓｉｓｔａｎｔｓ）、ＨＭＤ（Ｈｅａｄ  Ｍｏｕｎｔｅｄ  Ｄｉｓｐｌａｙ）、ヘッドセット、デジタルカメラ、デジタルビデオカメラ、スマートフォン、携帯電話端末、携帯用音楽再生装置、携帯用映像処理装置または携帯用ゲーム機器等として実現されてもよい。
【００２１】
無線通信装置２００は、他の装置との無線通信が可能な無線端末である。図１及び図２の例では、無線通信装置２００は、スマートフォンである。無線通信装置２００は、例えばＷＬＡＮ端末１００との無線接続を形成することができる。また、無線通信装置２００は、ＷＷＡＮ通信機能を有し、ＷＷＡＮに接続することができるＷＷＡＮ端末である。ＷＷＡＮ端末２００は、移動体通信網に接続するための加入者識別情報を有しており、加入者識別情報を用いた認証処理を行って、移動体通信網等の無線ネットワーク３００との無線接続を形成することができる。加入者識別情報は、例えばＳＩＭカード（Subscriber  Identity  Module  Card）に格納されるＩＭＳＩ（International  Mobile  Subscriber  Identity）である。ＷＷＡＮ端末２００は、ＷＷＡＮ通信機能を用いて無線ネットワーク３００に接続し、サービスネットワーク４００により提供されるサービスを利用可能である。なお、無線通信装置２００は、スマートフォン以外にも、ノートＰＣ、ＰＣ、タブレット端末、ＰＤＡ、ＨＭＤ、ヘッドセット、デジタルカメラ、デジタルビデオカメラ、携帯電話端末、携帯用音楽再生装置、携帯用映像処理装置または携帯用ゲーム機器等として実現されてもよい。
【００２２】
ここで、ＷＷＡＮ端末２００Ａは、ＷＬＡＮ端末１００に関連する端末であるものとする。例えば、ＷＷＡＮ端末２００Ａは、ＷＬＡＮ端末１００と予めペアリングが行われる等の関連付けが行われていてもよい。例えば、ＷＷＡＮ端末２００Ａは、ＷＬＡＮ端末１００と同一のユーザにより使用される。一方で、ＷＷＡＮ端末２００Ｂは、ＷＬＡＮ端末１００に関連しない端末であるものとする。例えば、ＷＷＡＮ端末２００Ｂは、ＷＬＡＮ端末１００と異なるユーザにより使用される。
【００２３】
無線ネットワーク３００は、移動体通信網等のＷＷＡＮ（第１のネットワーク）である。例えば、ＷＷＡＮ３００は、ＬＴＥ（Long  Term  Evolution）、ＬＴＥ−Ａ（LTE-Advanced）、ＧＳＭ（登録商標）、ＵＭＴＳ、Ｗ−ＣＤＭＡ、又はＣＤＭＡ２０００などの任意の無線通信方式に従って運用される。例えば、ＷＷＡＮ３００は、基地局３１０により運用されるセルの範囲内に位置する無線通信装置２００から接続される。
【００２４】
サービスネットワーク４００は、インターネットなどの公衆ネットワークである。ＷＷＡＮ端末２００は、ＷＷＡＮ３００を介してサービスネットワーク４００にアクセスすることができる。
【００２５】
ここで、ＷＷＡＮ通信機能を有さない端末は、ＷＷＡＮ３００を介したインターネットへのアクセスは困難である。このような場合であっても、外出先等でのインターネットへのアクセスを実現するための手段として、例えばＷＷＡＮ通信可能な端末によるテザリング、又は公衆ＷＬＡＮの利用が挙げられる。
【００２６】
テザリングとは、スマートフォン等のＷＷＡＮ通信機能を有する端末を介して、他の通信端末がＷＷＡＮ３００に接続する技術である。例えば、ＷＷＡＮ端末２００は、ＷＷＡＮ３００及びＷＬＡＮ端末１００と接続可能であるので、ＷＷＡＮ３００とＷＬＡＮ端末１００との通信を中継するアクセスポイントとして機能して、テザリングを実現することができる。これにより、ＷＬＡＮ端末１００は、サービスネットワーク４００により提供されるサービスを利用可能となる。
【００２７】
テザリングは、ＷＷＡＮ端末２００がＷＷＡＮ通信可能なエリアのどこに位置していても利用可能である。しかし、テザリング利用のための端末設定を、ＷＷＡＮ端末２００及びＷＬＡＮ端末１００の両方で行うことが要されるため、ユーザの利便性が損なわれていた。また、テザリング中はアクセスポイントとして機能するＷＷＡＮ端末２００の電力消費が大きい。
【００２８】
他方、公衆ＷＬＡＮとは、ＷＬＡＮを利用したインターネットへの接続を提供するサービスである。無線ネットワーク５００は、例えばＷＬＡＮにより運用される公衆ネットワーク（第２のネットワーク）である。ＷＬＡＮ端末１００は、ＷＬＡＮ５００へ接続して、サービスネットワーク４００に、又はＷＷＡＮ３００をさらに介してサービスネットワーク４００にアクセスすることができる。これにより、ＷＬＡＮ端末１００は、サービスネットワーク４００により提供されるサービスを利用可能となる。なお、図１に示した例では、ＷＬＡＮ５００は基地局５１０により運用され、図２に示した例では、ＷＬＡＮ５００は基地局５１０として機能するＷＷＡＮ端末２００Ｂにより運用される。
【００２９】
＜１．２．技術的な課題＞
スマートフォンのようなＷＷＡＮ通信機能を有する無線端末は、３ＧＰＰ（Third  Generation  Partnership  Project)によって提案されたＡＮＤＳＦ（Access  Network  Discovery  and  Selection  Function)、又はWi-Fi  Allianceによって提案されたWi-Fi  CERTIFIED  Passpointの技術を用いて、周囲の公衆ＷＬＡＮへ接続し自身が有する加入者識別情報を用いてユーザ認証を実施することが可能である。しかし、ノートＰＣの様にＷＷＡＮ通信機能を持たず、加入者識別情報を有さない無線端末では、ユーザ自ら利用可能な公衆ＷＬＡＮを選択し、認証手続きを実施することが要される場合があり、利便性が損なわれていた。
【００３０】
他方、ＷＬＡＮ端末１００は、ＷＷＡＮ端末２００Ａをテザリングモードで動作させることで、インターネットにアクセス可能である。しかし、ＷＷＡＮ端末２００Ａがテザリングモードに対応していない場合や、テザリングに対応していてもデータ通信速度やデータ通信量に制限が課されている場合、ＷＬＡＮ端末１００によるインターネットの利用が困難である。また、ＷＷＡＮ端末２００Ｂは、例えばユーザが異なるので、ＷＬＡＮ端末１００のためにテザリングモードで動作させることは困難であった。
【００３１】
そこで、上記事情を一着眼点にして本開示の一実施形態に係る無線通信装置を創作するに至った。本開示の一実施形態に係る無線通信装置は、より容易にネットワークに接続することが可能である。具体的には、本開示の一実施形態では、他のユーザにより使用されるＷＷＡＮ端末２００Ｂの関与により、ＷＬＡＮ端末１００がインターネットに接続することが可能な仕組みを提供する。例えば、図１では、ＷＷＡＮ端末２００Ｂは、ＷＬＡＮ端末１００によるＷＬＡＮ５００への認証処理を支援する。一方で、図２では、ＷＷＡＮ端末２００Ｂは、自らが基地局５１０として機能することで、ＷＬＡＮ端末１００によるＷＬＡＮ５００への接続を支援する。
【００３２】
以下、図３〜図１５を参照して、本開示の一実施形態に係る無線通信装置を含む無線通信システムについて詳細に説明する。
【００３３】
＜＜２．構成例＞＞
＜２．１．無線通信システムの構成例＞
図３及び図４は、本実施形態に係る無線通信システム１の構成の一例を示すブロック図である。図３及び図４に示すように、無線通信システム１は、ＷＬＡＮ端末１００及びＷＷＡＮ端末２００を含み、ＷＷＡＮ３００、ＷＬＡＮ５００、及びサービスネットワーク４００への無線接続を提供する。なお、図３は図１に対応する構成例であり、図４は図２に対応する構成例である。なお、図４では、ＷＷＡＮ端末２００Ａは、図３に示した構成と同様であるため図示を省略している。
【００３４】
（１）ＷＷＡＮ３００
図３及び図４に示すように、ＷＷＡＮ３００は、基地局３１０、ゲートウェイ３２０、加入者情報サーバ３３０、認証サーバ３４０、及びネットワーク情報提供サーバ３５０により運用される。
【００３５】
（１−１）基地局３１０
基地局３１０は、ＷＷＡＮ通信機能を有する無線端末が、ＷＷＡＮ３００に接続する際の接点となる装置である。例えば、基地局３１０は、ＷＷＡＮ端末２００からの接続を受け付ける。ＬＴＥにおいては、基地局３１０はｅＮＢに相当する。
【００３６】
（１−２）ゲートウェイ３２０
ゲートウェイ３２０は、ＷＷＡＮ３００と他のネットワークとの通信を中継する装置である。例えば、ゲートウェイ３２０は、ＷＷＡＮ３００とサービスネットワーク４００との通信、及びＷＷＡＮ３００とＷＬＡＮ５００との通信を中継する。ＬＴＥにおいては、ゲートウェイ３２０はＰ−ＧＷ（Packet  Data  Network  Gateway）に相当する。
【００３７】
（１−３）加入者情報サーバ３３０
加入者情報サーバ３３０は、ＷＷＡＮ３００への加入者情報を保持する装置である。加入者情報サーバ３３０は、無線端末がＷＷＡＮ３００へ接続する際の認証処理に利用される情報も保持する。ＬＴＥにおいては、加入者情報サーバ３３０はＨＳＳ（Home  Subscriber  Server）に相当する。
【００３８】
（１−４）認証サーバ３４０
認証サーバ３４０は、ＷＷＡＮ３００への接続がＷＷＡＮ３００の加入者による接続であることを認証する装置である。認証サーバ３４０は、加入者情報サーバ３３０を参照してこの認証処理を行い得る。ＬＴＥにおいては、認証サーバ３４０はＡＡＡ（Authentication,  Authorization  and  Accounting）サーバに相当する。
【００３９】
また、認証サーバ３４０は、ＷＬＡＮ５００への接続を認証する機能を有する。例えば、ＷＬＡＮ５００への認証プロトコルとして、ＥＡＰ（Extensible  Authentication  Protocol）−ＡＫＡ、ＥＡＰ−ＳＩＭ、又はＥＡＰ−ＡＫＡ´等の、ＷＷＡＮ３００への加入者識別情報を用いた認証プロトコルが採用され得る。その場合、認証サーバ３４０は、加入者情報サーバ３３０を参照して認証処理を行う。なお、ＷＷＡＮ通信機能を有し、加入者識別情報を用いた認証処理を経てＷＷＡＮ３００への接続が可能な端末は、同じく加入者識別情報を用いた認証処理を経てＷＬＡＮ５００への接続が可能である。
【００４０】
（１−５）ネットワーク情報提供サーバ３５０
ネットワーク情報提供サーバ３５０は、無線端末が現在接続されている無線ネットワークから他の無線ネットワークへ接続先を切り替える際に必要となる、接続先の無線ネットワークの情報を提供する装置である。例えば、ネットワーク情報提供サーバ３５０は、ＷＷＡＮ端末２００に対して、ＷＬＡＮ５００に接続するためのネットワーク情報を提供し得る。ＬＴＥにおいては、ネットワーク情報提供サーバ３５０はＡＮＤＳＦサーバに相当する。
【００４１】
（２）ＷＬＡＮ５００
ＷＬＡＮ５００は、基地局５１０により運用される公衆ネットワークである。本明細書では、公衆ネットワークの通信方式はＷＬＡＮであるものとして説明するが、Ｂｌｕｅｔｏｏｔｈ等の他の任意の通信方式に従って運用されてもよい。
【００４２】
基地局５１０は、ＷＬＡＮ通信機能を有する無線端末が、ＷＬＡＮ５００に接続する際の接点となる装置である。例えば、基地局５１０は、ＷＬＡＮ端末１００からの接続を受け付ける。公衆ネットワークの通信方式がＷＬＡＮの場合、基地局５１０はアクセスポイントに相当する。なお、基地局５１０は、ひとつ以上の認証プロトコルをサポートし得る。図３に示した例では、ＷＬＡＮ５００は基地局５１０により運用される。一方で、図４に示した例では、ＷＬＡＮ５００は基地局５１０として機能するＷＷＡＮ端末２００Ｂにより運用される。
【００４３】
＜２．２．ＷＬＡＮ端末の構成例＞
図５は、本実施形態に係るＷＬＡＮ端末１００の論理的な構成の一例を示すブロック図である。図５に示すように、ＷＬＡＮ端末１００は、無線通信部１１０、記憶部１２０、及び制御部１３０を有する。
【００４４】
（１）無線通信部１１０
無線通信部１１０は、外部機器との間でのデータの送受信を行う通信モジュールである。無線通信部１１０は、多様な通信方式を用いて無線通信を行うことができる。例えば、無線通信部１１０は、ＷＬＡＮモジュール１１２を有し、Ｗｉ−Ｆｉ（登録商標）、ＷＬＡＮを用いて無線通信可能である。また、無線通信部１１０は、ＢＴ（Ｂｌｕｅｔｏｏｔｈ）モジュール１１４を有し、Ｂｌｕｅｔｏｏｔｈを用いて無線通信可能である。また、無線通信部１１０は、ＮＦＣモジュール１１６を有し、ＮＦＣを用いて無線通信可能である。
【００４５】
例えば、無線通信部１１０は、ＷＷＡＮ端末２００との無線通信を行う。例えば、無線通信部１１０は、ＮＦＣ、Ｂｌｕｅｔｏｏｔｈ、Ｂｌｕｅｔｏｏｔｈ  Ｌｏｗ  Ｅｎｅｒｇｙ、Ｗｉ−Ｆｉ  Ｄｉｒｅｃｔ（登録商標）又はＷＬＡＮ等の近距離無線通信方式を用いて、ＷＷＡＮ端末２００との無線通信を行う。他にも、無線通信部１１０は、ＺｉｇＢｅｅ（登録商標）、ＩｒＤＡ（Infrared  Data  Association）等の近距離無線通信方式を用いて、ＷＷＡＮ端末２００との無線通信を行ってもよい。
【００４６】
例えば、無線通信部１１０は、公衆ネットワークに接続して無線通信を行う。例えば、無線通信部１１０は、ＷＬＡＮ等の無線通信方式を用いて、ＷＬＡＮ５００に接続する。公衆ネットワークは、ＷＬＡＮ以外の任意の無線通信方式をサポートしていてもよく、その場合、無線通信部１１０は公衆ネットワークに応じた無線通信方式を用いて公衆ネットワークに接続し得る。また、無線通信部１１０は、ＷＬＡＮ５００から受信される信号の強度からＲＳＳＩ（Received  Signal  Strength  Indicator）を測定する等の測定処理を行ってもよい。
【００４７】
無線通信部１１０は、ＷＷＡＮ端末２００との無線通信及び公衆ネットワークとの無線通信について、同一の通信方式を用いて無線通信を行ってもよい。例えば、無線通信部１１０は、ＷＬＡＮを用いてＷＷＡＮ端末２００と通信しつつ、ＷＬＡＮ５００に接続してもよい。
【００４８】
（２）記憶部１２０
記憶部１２０は、所定の記録媒体に対してデータの記録再生を行う部位である。例えば、記憶部１２０は、ＷＷＡＮ端末２００Ａとの間で共有された接続先選択ポリシーを記憶してもよい。
【００４９】
（３）制御部１３０
制御部１３０は、演算処理装置および制御装置として機能し、各種プログラムに従ってＷＬＡＮ端末１００内の動作全般を制御する。例えば、制御部１３０は、ＷＷＡＮ端末２００Ｂによる支援に基づいて、ＷＬＡＮ５００に接続するための各種処理を行う。
【００５０】
以上、本実施形態に係るＷＬＡＮ端末１００の構成例を説明した。続いて、図６を参照して、本実施形態に係るＷＷＡＮ端末２００の構成例を説明する。
【００５１】
＜２．３．ＷＷＡＮ端末の構成例＞
図６は、本実施形態に係るＷＷＡＮ端末２００の論理的な構成の一例を示すブロック図である。図６に示すように、ＷＷＡＮ端末２００は、無線通信部２１０、記憶部２２０、加入者識別モジュール２３０、及び制御部２４０を有する。なお、ＷＷＡＮ端末２００Ａ及び２００Ｂは同一の構成を有していてもよい。
【００５２】
（１）無線通信部２１０
無線通信部２１０は、外部機器との間でのデータの送受信を行う通信モジュールである。無線通信部２１０は、多様な通信方式を用いて無線通信を行うことができる。例えば、無線通信部２１０は、ＷＷＡＮモジュール２１２を有し、ＷＷＡＮ３００を用いて無線通信可能である。また、無線通信部２１０は、ＷＬＡＮモジュール２１４を有し、Ｗｉ−Ｆｉ、ＷＬＡＮを用いて無線通信可能である。また、無線通信部２１０は、ＢＴモジュール２１６を有し、Ｂｌｕｅｔｏｏｔｈを用いて無線通信可能である。また、無線通信部２１０は、ＮＦＣモジュール２１８を有し、ＮＦＣを用いて無線通信可能である。
【００５３】
例えば、無線通信部２１０は、ＷＷＡＮモジュール２１２により、ＷＷＡＮ３００に接続して無線通信を行う第１の無線通信部として機能し得る。例えば、無線通信部２１０は、ＷＷＡＮモジュール２１２を介して認証サーバ３４０との間で通信を行う。
【００５４】
例えば、無線通信部２１０は、ＷＬＡＮモジュール２１４により、ＷＬＡＮ５００に関する無線通信を行う第２の無線通信部として機能し得る。例えば、ＷＷＡＮ端末２００Ａの無線通信部２１０は、ＷＬＡＮモジュール２１４を介して基地局５１０との間で通信を行い得る。また、ＷＷＡＮ端末２００Ｂの無線通信部２１０は、ＷＬＡＮ５００を形成してＷＬＡＮ端末１００との無線通信を行い得る。
【００５５】
例えば、無線通信部２１０は、ＷＬＡＮ端末１００との無線通信を行う第３の無線通信部として機能し得る。例えば、無線通信部２１０は、ＮＦＣ、Ｂｌｕｅｔｏｏｔｈ、Ｂｌｕｅｔｏｏｔｈ  Ｌｏｗ  Ｅｎｅｒｇｙ、Ｗｉ−Ｆｉ  Ｄｉｒｅｃｔ又はＷＬＡＮ等の近距離無線通信方式を用いて、ＷＬＡＮ端末１００との無線通信を行う。他にも、無線通信部２１０は、ＺｉｇＢｅｅ、ＩｒＤＡ（Infrared  Data  Association）等の近距離無線通信方式を用いて、ＷＬＡＮ端末１００との無線通信を行ってもよい。
【００５６】
（２）記憶部２２０
記憶部２２０は、所定の記録媒体に対してデータの記録再生を行う部位である。例えば、記憶部２２０は、接続先選択ポリシー、及びＷＬＡＮ端末１００との間でリンクを確立するためのリンク情報等を記憶してもよい。
【００５７】
（３）加入者識別モジュール２３０
加入者識別モジュール２３０は、ＷＷＡＮ３００への加入者識別情報を格納する格納部としての機能を有する。例えば、加入者識別モジュール２３０は、ＳＩＭカードにより実現される。
【００５８】
（４）制御部２４０
制御部２４０は、演算処理装置および制御装置として機能し、各種プログラムに従ってＷＷＡＮ端末２００内の動作全般を制御する。例えば、制御部２４０は、ＷＬＡＮ端末１００によるＷＬＡＮ５００への接続を実現するための各種処理を行う。具体的には、ＷＷＡＮ端末２００Ｂの制御部２４０は、無線通信部２１０により受信されたＷＷＡＮ端末２００Ａの接続先選択ポリシーに対応するＷＬＡＮ５００への、ＷＬＡＮ端末１００による接続を支援する。これにより、ＷＬＡＮ端末１００は、ＷＬＡＮ５００に接続することが可能となる。また、ＷＷＡＮ端末２００Ａの制御部２４０は、ＷＬＡＮ端末１００によるＷＬＡＮ５００への接続を支援するＷＷＡＮ端末２００Ｂへ、ＷＷＡＮ３００を経由して接続先選択ポリシーを送信するよう無線通信部２１０を制御する。これにより、ＷＷＡＮ端末２００Ｂが、接続先選択ポリシーを取得することができる。
【００５９】
以上、本実施形態に係るＷＷＡＮ端末２００の構成例を説明した。続いて、本実施形態に係る無線通信システム１の技術的特徴を説明する。
【００６０】
＜＜３．技術的特徴＞＞
（支援のリクエスト）
ＷＷＡＮ端末２００Ａは、ＷＬＡＮ端末１００によるＷＬＡＮ５００への接続のための支援をリクエストする。具体的には、ＷＷＡＮ端末２００Ａは、支援のリクエストとして、接続先選択ポリシーを送信し得る。送信された接続先選択ポリシーは、無線通信システム１により選定されたＷＷＡＮ端末２００ＢによりＷＷＡＮ３００を経由して受信されて、支援のために用いられる。この接続先選択ポリシーは、予めＷＷＡＮ端末２００ＡとＷＬＡＮ端末１００との間で共有されていてもよい。
【００６１】
接続先選択ポリシーが共有されるタイミングは多様に考えられる。例えば、ＡＮＤＳＦサーバから定期的１時間、１日、１週間毎などに接続先選択ポリシーがＷＷＡＮ端末２００Ａへ送信されたタイミングで共有されてもよい。また、ＷＷＡＮ端末２００Ａの電源ＯＮ／ＯＦＦのタイミングで共有されてもよい。また、ＷＷＡＮ端末２００Ａが特定のエリアへ移動したタイミングで共有されてもよい。
【００６２】
接続先選択ポリシーとは、ネットワークの通信方式、ネットワークの優先順位及びネットワークの識別情報に関する情報を含む情報である。接続先選択ポリシーの詳細な構造については、図８を参照して後述する。一例として、ＮｅｔｗｏｒｋＳｅｌｅｃｔｉｏｎＰｏｌｉｃｙという名前を持ったＡＮＤＳＦ  Ｍａｎａｇｅｍｅｎｔ  Ｏｂｊｅｃｔについて、ＰｏｌｉｃｙがＳｅｔ＿１とＳｅｔ＿２の２種類あり、優先順位がＲｕｌｅＰｒｉｏｒｉｔｙで定められている例を下記に示す。なお、Ｓｅｔ＿１には３つのアクセスネットワーク情報が含まれており、それぞれ優先順位がＡｃｃｅｓｓＮｅｔｗｏｒｋＰｒｉｏｒｉｔｙで設定されている。
【００６３】
./ANDSF/Name=NetworkSelectionPolicy
./ANDSF/Policy/Set_1/RulePriority=1
./ANDSF/Policy/Set_1/PrioritizedAccess/1/AccessTechnology=WLAN
./ANDSF/Policy/Set_1/PrioritizedAccess/1/AccessID=HotSpotSSID1
./ANDSF/Policy/Set_1/PrioritizedAccess/1/AccessNetworkPriority=10
./ANDSF/Policy/Set_1/PrioritizedAccess/2/AccessTechnology=WLAN
./ANDSF/Policy/Set_1/PrioritizedAccess/2/AccessID=HotSpotSSID2
./ANDSF/Policy/Set_1/PrioritizedAccess/2/AccessNetworkPriority=20
./ANDSF/Policy/Set_1/PrioritizedAccess/3/AccessTechnology=WLAN
./ANDSF/Policy/Set_1/PrioritizedAccess/3/AccessID=HotSpotSSID3
./ANDSF/Policy/Set_1/PrioritizedAccess/3/AccessNetworkPriority=30
./ANDSF/Policy/Set_2/RulePriority=2
./ANDSF/Policy/Set_2/PrioritizedAccess/1/AccessTechnology=WLAN
./ANDSF/Policy/Set_2/PrioritizedAccess/1/AccessID=HomeSSID
./ANDSF/Policy/Set_2/PrioritizedAccess/1/AccessNetworkPriority=10
【００６４】
（ＷＷＡＮ端末２００Ｂの選定）
次いで、ひとつ以上のＷＷＡＮ端末２００の中からＷＷＡＮ端末２００Ｂを選定することについて説明する。例えば、基地局３１０、加入者情報サーバ３３０又はネットワーク情報提供サーバ３５０が、ＷＷＡＮ端末２００Ｂを選定するエンティティとして機能し得る。
【００６５】
例えば、無線通信システム１は、ＷＬＡＮ端末１００に地理的に近い場所に位置するＷＷＡＮ端末２００を、ＷＷＡＮ端末２００Ｂとして選定する。具体的には、同一のユーザに所持される等、ＷＬＡＮ端末１００とＷＷＡＮ端末２００Ａとが近くに位置する場合が多いため、無線通信システム１は、ＷＷＡＮ端末２００Ａの位置情報を参照してＷＷＡＮ端末２００Ｂを選定し得る。そのために、ＷＷＡＮ端末２００Ａは、自身の位置情報を、ＷＷＡＮ端末２００Ｂを選定するエンティティへＷＷＡＮ３００を経由して送信し得る。ＷＷＡＮ端末２００Ａは、位置情報の送信として、例えばＬＴＥにおける位置登録を行ってもよいし、位置登録とは別の処理として位置情報を送信してもよい。位置情報は、セルＩＤ（ＧＥＲＡＮ＿ＣＩ、ＵＴＲＡＮ＿ＣＩ、ＥＵＴＲＡ＿ＣＩ）や経度、緯度情報(ＡｎｃｈｏｒＬｏｎｇｉｔｕｄｅ、ＡｎｃｈｏｒＬａｔｉｔｕｄｅ)を含んでいてもよい。位置情報の詳細な構造については、図９を参照して後述する。
【００６６】
選定されたＷＷＡＮ端末２００Ｂは、自身でＷＬＡＮ５００を形成するのか、又は他のＷＬＡＮ５００にＷＬＡＮ端末１００を接続させるのかを選択する。例えば、ＷＷＡＮ端末２００Ｂは、周囲に接続可能な、又は通信品質等が基準を満たすＷＬＡＮ５００が存在しない場合に、自身でＷＬＡＮ５００を形成してもよい。いずれにしろ、ＷＷＡＮ端末２００Ｂは、ＷＬＡＮ端末１００と地理的に近い位置で運用されているＷＬＡＮ５００へのＷＬＡＮ端末１００の接続に資することが可能となる。なお、この選択は、ＷＬＡＮ端末１００、ＷＷＡＮ端末２００Ａ、基地局３１０又は加入者情報サーバ３３０等のＷＷＡＮ端末２００Ｂ以外の装置により行われてもよい。
【００６７】
ＷＷＡＮ端末２００Ｂは、ＷＷＡＮ端末２００Ｂのユーザに対し、ＷＬＡＮ端末１００の支援を行うことに関する許可を得るためのＵＩを表示し得る。ＷＷＡＮ端末２００Ｂが支援を行う場合、相応の電力消費や通信を要するためである。図７は、本実施形態に係るＷＷＡＮ端末２００ＢにおけるＵＩの一例を示す図である。図７に示すように、まず、符号６１０に示したＵＩが表示され、ユーザにより許可（ボタン６１１）又は拒否（ボタン６１２）が選択される。ユーザにより許可された場合、符号６２０に示したＵＩが表示され、認証に完了すると符号６３０に示したＵＩが表示される。なお、ユーザにより拒否された場合、無線通信システム１は、再度ＷＷＡＮ端末２００Ｂの選定を行ってもよい。各ＵＩには、支援をリクエストしたＷＬＡＮ端末１００を識別するための情報が含まれていてもよい。例えば、ＷＬＡＮ端末１００のデバイスアドレスや、リンク情報に含まれる識別子等が表示され得る。さらに、ＷＬＡＮ端末１００は、ＷＷＡＮ端末２００Ｂと直接的に通信する際に、ユーザフレンドリーな名称を通知してもよい。また、通信事業者は、ＷＬＡＮ端末１００からのリクエストを許可したＷＷＡＮ端末２００Ｂに対して通信料金を割り引く等のインセンティブを与え、ＷＬＡＮ端末１００に対して課金・決済を実施してもよい。その場合、通信事業者は、インセンティブを示す情報をＷＷＡＮ端末２００Ｂに通知し、課金・決済情報をＷＬＡＮ端末１００に通知してもよい。
【００６８】
（他のネットワークへ接続させる）
ＷＷＡＮ端末２００Ｂは、受信した接続先選択ポリシーに基づいて、ＷＬＡＮ端末１００の接続先のＷＬＡＮ５００を選択してもよい。例えば、ＷＷＡＮ端末２００Ｂは、優先順位の高いＳＳＩＤのＷＬＡＮ５００を選択し得る。また、ＷＷＡＮ端末２００は、自身が有する接続先選択ポリシーにさらに基づいて、ＷＬＡＮ端末１００の接続先を選択してもよい。例えば、ＷＷＡＮ端末２００は、双方の接続先選択ポリシーにおいて共通して優先順位の高いＳＳＩＤのＷＬＡＮ５００を選択し得る。このように、接続先選択ポリシーに基づく選択により、ＷＬＡＮ端末１００は、適切なＷＬＡＮ５００に接続することが可能となる。
【００６９】
（ＷＷＡＮ端末２００Ｂによるネットワーク形成）
例えば、ＷＷＡＮ端末２００Ｂは、接続先選択ポリシーが受信された場合に、ＷＬＡＮ５００を形成するようＷＬＡＮモジュール２１４を制御してもよい。具体的には、ＷＷＡＮ端末２００Ｂは、無線ＬＡＮのアクセスポイントとして又はＷｉ−Ｆｉ  Ｄｉｒｅｃｔ（登録商標）のＰ２Ｐ  Ｇｒｕｏｐ  Ｏｗｎｅｒとして、ＷＬＡＮ５００を形成してもよい。ＷＬＡＮ端末１００が、このＷＬＡＮ５００に接続した場合、ＷＷＡＮ端末２００Ｂを経由してインターネットにアクセスすることが可能となる。
【００７０】
ＷＷＡＮ端末２００Ｂは、接続先選択ポリシーに含まれる優先順位の高い識別情報を用いてＷＬＡＮ５００を形成してもよい。例えば、ＷＷＡＮ端末２００Ｂは、優先順位の高いＳＳＩＤを使用して、ＷＬＡＮ５００を起動する。これにより、ＷＬＡＮ端末１００は、仮に周囲に接続可能なＷＬＡＮ５００が存在していた場合であっても、ＷＷＡＮ端末２００Ｂにより形成されたＷＬＡＮ５００に優先的に接続を試みることができる。
【００７１】
ＷＷＡＮ端末２００Ｂは、ＷＬＡＮ端末１００とＷＷＡＮ３００との通信を中継してもよい。例えば、ＷＷＡＮ端末２００Ｂは、ＷＷＡＮモジュール２１２及びＷＬＡＮモジュール２１４により、自身が形成したＷＬＡＮ５００に接続したＷＬＡＮ端末１００が行う通信を中継する、リレー局として機能する。
【００７２】
（リンクの確立）
ＷＬＡＮ端末１００は、ＷＷＡＮ端末２００との間でリンク（ペアリング）を確立して無線通信を行ってもよい。これにより、ＷＬＡＮ端末１００及びＷＷＡＮ端末２００は、多様な情報を直接的に送受信することができる。
【００７３】
ＷＷＡＮ端末２００は、リンク情報を用いてＷＬＡＮ端末１００を特定し、リンクを形成する。リンク情報としては、例えばＷＬＡＮ端末１００を識別するための識別情報が含まれてもよい。例えば、Ｂｌｕｅｔｏｏｔｈを用いてリンクが形成される場合には、ＷＬＡＮ端末１００のリンク情報には、ＷＬＡＮ端末１００のＢｌｕｅｔｏｏｔｈ  Ｄｅｖｉｃｅ  Ａｄｄｒｅｓｓが含まれ得る。例えば、ＷＷＡＮ端末２００Ａは、ＷＬＡＮ端末１００からリンク情報を直接的に取得してもよい。一方で、ＷＷＡＮ端末２００Ｂは、ＷＷＡＮ３００を経由してリンク情報を受信してもよい。ＷＷＡＮ端末２００Ｂにとって、ＷＬＡＮ端末１００は他のユーザに使用される端末であるから、直接的な通信はセキュリティの観点から好ましくない。この点、ＷＷＡＮ端末２００Ｂは、一旦ＷＷＡＮ３００（加入者情報サーバ３３０）を経由したリンク情報を使用することで、セキュリティを確保することができる。
【００７４】
ＷＷＡＮ端末２００Ａは、ＷＬＡＮ端末１００のリンク情報を、ＷＷＡＮ３００を介してＷＷＡＮ端末２００Ｂへ送信してもよい。特に、ＷＷＡＮ端末２００Ａは、周囲にＷＬＡＮ５００が存在する場合にリンク情報を送信してもよい。後述するように、周囲にＷＬＡＮ５００が存在する場合、ＷＷＡＮ端末２００Ｂは、ＷＬＡＮ端末１００による周囲に存在するＷＬＡＮ５００への認証処理に関与し得る。そのため、ＷＷＡＮ端末２００Ａは、周囲にＷＬＡＮ５００が存在する場合にリンク情報を送信することで、ＷＷＡＮ端末２００ＢがＷＬＡＮ端末１００との間でリンクを確立して、認証処理のための情報の送受信を可能にする。
【００７５】
（ＥＡＰ認証）
ＷＷＡＮ端末２００は、ＷＬＡＮ端末１００によるＷＬＡＮ５００への認証処理に関与し得る。
【００７６】
例えば、ＷＬＡＮ端末１００は、加入者識別情報を用いた認証処理により、ＷＬＡＮ５００への認証を行ってもよい。その際、ＷＬＡＮ端末１００は、ＷＷＡＮ端末２００が有する加入者識別情報を用いたＥＡＰ認証により、ＷＬＡＮ５００への認証を行ってもよい。
【００７７】
例えば、ＷＬＡＮ端末１００は、ＷＷＡＮ端末２００により行われる認証処理のために、ＷＷＡＮ端末２００とＷＬＡＮ５００との間で送受信されるメッセージを中継する。具体的には、まず、ＷＬＡＮ端末１００は、ＷＷＡＮ端末２００へ、加入者識別情報に基づく認証情報を生成するよう要求するメッセージを送信する。ＷＷＡＮ端末２００は、受信したメッセージに基づいて、ＷＬＡＮ端末１００によるＷＬＡＮ５００のＥＡＰ認証のための認証情報を、自身の加入者識別情報を用いて生成して、生成した認証情報を含むメッセージをＷＬＡＮ端末１００へ返信する。そして、ＷＬＡＮ端末１００は、受信したメッセージを、ＷＬＡＮ端末１００の接続先のＷＬＡＮ５００を運用する基地局５１０へ送信する。
【００７８】
ＷＬＡＮ端末１００は、上述したメッセージの中継処理によって、ＥＡＰを用いたＷＬＡＮ５００への認証処理をＷＷＡＮ端末２００に代理で行わせることができる。このため、ＷＬＡＮ端末１００は、加入者識別情報を有さない場合であっても、容易にＷＬＡＮ５００に接続することができる。
【００７９】
ＷＷＡＮ端末２００は、ＷＬＡＮ端末１００によるメッセージの中継を受けることで、ＥＡＰを用いたＷＬＡＮ５００への認証処理を、ＷＬＡＮ端末１００に代理して行うことができる。このため、ＷＷＡＮ端末２００は、ＷＬＡＮ端末１００が加入者識別情報を有さない場合であっても、ＷＬＡＮ端末１００によるＷＬＡＮ５００への容易な接続を実現することができる。また、ＷＷＡＮ端末２００は、加入者識別情報等を直接ＷＬＡＮ端末１００へ送信しないので、セキュリティを担保することが可能である。
【００８０】
認証処理には、ＥＡＰ−ＡＫＡ、ＥＡＰ−ＳＩＭ、又はＥＡＰ−ＡＫＡ’等の、加入者情報を用いる任意の認証プロトコルが採用されてもよい。ＷＬＡＮ端末１００とＷＷＡＮ端末２００との間で送受信されるメッセージは、例えばＥＡＰ−Ｒｅｑｕｅｓｔ／Ｉｄｅｎｔｉｔｙ及びＥＡＰ−Ｒｅｓｐｏｎｓｅ／Ｉｄｅｎｔｉｔｙであってもよい。他にも、上記メッセージは、ＥＡＰ−Ｒｅｑｕｅｓｔ／ＡＫＡ−Ｃｈａｌｌｅｎｇｅ及びＥＡＰ−Ｒｅｓｐｏｎｓｅ／ＡＫＡ−Ｃｈａｌｌｅｎｇｅであってもよい。なお、以下では、加入者識別情報を用いる認証プロトコルの一例として、ＥＡＰ−ＡＫＡが採用される例を説明するが、ＥＡＰ−ＳＩＭ、又はＥＡＰ−ＡＫＡ’等の、加入者情報を認証処理に用いる他の認証プロトコルが採用されてもよい。
【００８１】
（接続先選択ポリシーの一例）
続いて、図８を参照して、接続先選択ポリシーの内容について説明する。
【００８２】
図８は、本実施形態に係る接続先選択ポリシーの一例を説明するための説明図である。図８では、接続先選択ポリシーに含まれるノードの構成を示している。図８に示すように、接続先選択ポリシーはディレクトリ構造を有している。以下、各ノードについて説明する。
【００８３】
＜Ｘ＞：
特定ノードに対するプレースホルダ
【００８４】
ＲｕｌｅＰｒｉｏｒｉｔｙ：
ルールの優先順位。整数で表され、小さい値ほど優先順位は高い
【００８５】
ＰｒｉｏｒｉｔｉｚｅｄＡｃｃｅｓｓ：
特定ルールに対する優先アクセスを示すノード
ＡｃｃｅｓｓＴｅｃｈｎｏｌｏｇｙ：
優先接続向けの技術を以下のいずれかの整数で記す
０：Ｒｅｓｅｒｖｅｄ
１：３ＧＰＰ
２：Ｒｅｓｅｒｖｅｄ
３：ＷＬＡＮ
４：ＷｉＭＡＸ
５−２５５：Ｒｅｓｅｒｖｅｄ
ＡｃｃｅｓｓＩｄ：
アクセスネットワークＩＤとしてＷＬＡＮの場合はＳＳＩＤ、ＷｉＭＡＸの場合はＮＡＰ−ＩＤを文字列で記す
ＳｅｃｏｎｄａｒｙＡｃｃｅｓｓＩｄ：
ＷＬＡＮアクセスネットワークに対してＨＥＳＳＩＤのみ文字列で記す。ＡｃｃｅｓｓＩｄにＷＬＡＮが選択されている場合にのみ使用される
ＡｃｃｅｓｓＮｅｔｗｏｒｋＰｒｉｏｒｉｔｙ：
アクセス技術の優先順位を１−２５０の整数で記す。小さい値ほど優先順位は高い
０：  Ｒｅｓｅｒｖｅｄ
１−２５０：  Ｐｒｉｏｒｉｔｙ  ｖａｌｕｅ
２５１−２５３：  Ｒｅｓｅｒｖｅｄ
２５４：  限定アクセス、現在のルールが有効な場合はアクセスすべきではない
２５５：  禁止、現在のルールが有効な場合、ＵＥはアクセスしてはいけない
【００８６】
ＶａｌｉｄｉｔｙＡｒｅａ：
特定ルールに対するロケーションコンディション
３ＧＰＰ＿Ｌｏｃａｔｉｏｎ：
３ＧＰＰロケーション
ＰＬＭＮ：
特定の３ＧＰＰロケーションコンディションに対するＰＬＭＮ（Public  Land  Mobile  Network）コード
ＴＡＣ：
特定の３ＧＰＰロケーションコンディションに対するトラッキングエリアコード
ＬＡＣ：
特定の３ＧＰＰロケーションコンディションに対するロケーションエリアコード
ＧＥＲＡＮ＿ＣＩ：
特定のＧＥＲＡＮ（GSM  EDGE  Radio  Access  Network）ネットワークに関連する場所のセルＩＤ
ＵＴＲＡＮ＿ＣＩ：
特定のＵＴＲＡＮ（UMTS  Terrestrial  Radio  Access  Network）ネットワークに関連する場所のセルＩＤ
ＥＵＴＲＡ＿ＣＩ：
特定のＥ−ＵＴＲＡ（Evolved  Universal  Terrestrial  Radio  Access）ネットワークに関連する場所のセルＩＤ
３ＧＰＰ２＿Ｌｏｃａｔｉｏｎ：
３ＧＰＰ２ロケーション
１ｘ：
３ＧＰＰ２  １ｘ  ＲＡＴ（Radio  Access  Technology）ロケーション
ＳＩＤ：
３ＧＰＰ２  １ｘ  ＲＡＴロケーションコンディションのためのシステム識別コード
ＮＩＤ：
３ＧＰＰ２  １ｘ  ＲＡＴロケーションコンディションのためのネットワーク識別コード
Ｂａｓｅ＿ＩＤ：
３ＧＰＰ２  １ｘ  ＲＡＴロケーションコンディションのための基地局識別コード
ＨＲＰＤ：
３ＧＰＰ２  ＨＲＰＤ  ＲＡＴロケーション
Ｓｅｃｔｏｒ＿ＩＤ：
３ＧＰＰ２  ＨＲＰＤ  ＲＡＴロケーションコンディションのためのセクタID
Ｎｅｔｍａｓｋ：
３ＧＰＰ２  ＨＲＰＤ  ＲＡＴロケーションコンディションのためのネットマスクコード
ＷｉＭＡＸ＿Ｌｏｃａｔｉｏｎ：
ＷｉＭＡＸロケーション
ＮＡＰ−ＩＤ：
特定のＷｉＭＡＸロケーションコンディションのためのＮｅｔｗｏｒｋ  Ａｃｃｅｓｓ  Ｐｒｏｖｉｄｅｒ  ＩＤ
ＢＳ−ＩＤ：
特定のＷｉＭＡＸロケーションコンディションのための基地局ＩＤ
ＷＬＡＮ＿Ｌｏｃａｔｉｏｎ：
ＷＬＡＮロケーション
ＨＥＳＳＩＤ：
特定のＷＬＡＮロケーションコンディションのためのＨＥＳＳＩＤ
ＳＳＩＤ：
特定のＷＬＡＮロケーションコンディションのためのＳＳＩＤ
ＢＳＳＩＤ：
特定のＷＬＡＮロケーションコンディションのためのＢＳＳＩＤ
Ｇｅｏ＿Ｌｏｃａｔｉｏｎ：
ＧＰＳロケーション
Ｃｉｒｃｕｌａｒ：
サーキュラエリアロケーション
ＡｎｃｈｏｒＬａｔｉｔｕｄｅ：
サーキュラエリア中心の緯度
ＡｎｃｈｏｒＬｏｎｇｉｔｕｄｅ：
サーキュラエリア中心の経度
Ｒａｄｉｕｓ：
サーキュラエリアの有効半径
【００８７】
ＴｉｍｅＯｆＤａｙ：
日時の状況を示すノード
ＴｉｍｅＳｔａｒｔ：
開始時刻
ＴｉｍｅＳｔｏｐ：
終了時刻
ＤａｔｅＳｔａｒｔ：
開始日
ＤａｔｅＳｔｏｐ：
終了日
ＵｐｄａｔｅＰｏｌｉｃｙ：
更新ポリシーを０又は１で示す
０：  ＵＥは更新不要
１：  ＵＥは更新必要
【００８８】
（位置情報の一例）
続いて、図９を参照して、位置情報の内容について説明する。
【００８９】
図９は、本実施形態に係る位置情報の一例を説明するための説明図である。図９では、位置情報に含まれるノードの構成を示している。図９に示すように、位置情報は図８を参照して上記説明した接続先選択ポリシーの一部と同様の構造を有しているため、ここでの重複する説明は省略する。
【００９０】
＜＜４．動作処理例＞＞
（接続処理１）
図１０は、本本実施形態に係る無線通信システム１において実行される接続処理の流れの一例を示すシーケンス図である。図１０に示すように、本シーケンスには、基地局３１０、ＷＷＡＮ端末２００Ａ、ＷＬＡＮ端末１００、ＷＷＡＮ端末２００Ｂ及び基地局５１０が関与する。本シーケンスは、図１及び図３に対応するシーケンスである。
【００９１】
図１０に示すように、まず、ステップＳ１０２で、ＷＷＡＮ端末２００Ａ及びＷＬＡＮ端末１００はリンクを確立する。例えば、ＷＷＡＮ端末２００Ａは、予めＷＬＡＮ端末１００から受信したリンク情報を用いて、Ｂｌｕｅｔｏｏｔｈ、ＮＦＣ又はＷｉ−Ｆｉ  Ｄｉｒｅｃｔ等の任意の通信方式を用いてリンクを確立する。
【００９２】
次いで、ステップＳ１０４で、ＷＷＡＮ端末２００Ａ及びＷＬＡＮ端末１００は、接続先選択ポリシーを共有する。例えば、ＷＷＡＮ端末２００Ａは、自身の接続先選択ポリシーをＷＬＡＮ端末１００へ送信する。
【００９３】
次に、ステップＳ１０６で、ＷＷＡＮ端末２００Ａは、接続先選択ポリシー、位置情報及びリンク情報を基地局３１０へ送信する。
【００９４】
次いで、ステップＳ１０８で、基地局３１０は、支援端末を探索する。例えば、基地局３１０は、上記ステップＳ１０６で受信した位置情報が示すＷＷＡＮ端末２００Ａに地理的に近い場所に位置するＷＷＡＮ端末２００Ｂを、支援端末として選定する。
【００９５】
次に、ステップＳ１１０で、基地局３１０は、選定したＷＷＡＮ端末２００Ｂへ、上記ステップＳ１０６で受信した接続先選択ポリシー及びリンク情報を送信する。基地局３１０は、これらの情報に加えて、ＥＡＰ−ＡＫＡ、ＥＡＰ−ＴＬＳ等の認証タイプ、証明書等の認証のための情報を送信してもよい。送信先は１台でもよいし複数でもよい。複数の場合、そのうち１台のＷＷＡＮ端末２００がＷＷＡＮ端末２００Ｂとして動作することとなる。その他のＷＷＡＮ端末２００は、例えば所定時間経過後に自動的に支援のための処理を停止してもよい。また、これらの情報を受信したＷＷＡＮ端末２００Ｂは、ＷＷＡＮ端末２００Ｂのユーザに対し、図７に一例を示した、ＷＬＡＮ端末１００の支援を行うことに関する許可を得るためのＵＩを表示してもよい。
【００９６】
次いで、ステップＳ１１２で、ＷＷＡＮ端末２００Ｂは、上記ステップＳ１１０で受信したリンク情報を用いて、ＷＬＡＮ端末１００にリンク要求を送信する。例えば、ＷＷＡＮ端末２００Ｂは、Ｂｌｕｅｔｏｏｔｈが用いられる場合、リンク情報に含まれるＢｌｕｅｔｏｏｔｈ  Ｄｅｖｉｃｅ  Ａｄｄｒｅｓｓの端末へリンク要求を送信する。
【００９７】
次に、ステップＳ１１４で、ＷＷＡＮ端末２００Ｂ及びＷＬＡＮ端末１００は、リンクを構築する。例えば、Ｂｌｕｅｔｏｏｔｈが用いられる場合、ＷＷＡＮ端末２００及びＷＬＡＮ端末１００はペアリングを確立して、Ｂｌｕｅｔｏｏｔｈを用いた通信が可能な状態となる。
【００９８】
次いで、ステップＳ１１６で、ＷＷＡＮ端末２００Ｂは、ＷＬＡＮ端末１００へ接続先選択ポリシーを送信する。ここで、後のステップＳ１１８において、ＷＷＡＮ端末２００Ｂの加入者識別情報を用いた認証処理が行われる場合、本ステップにおいてＷＷＡＮ端末２００Ｂの接続先選択ポリシーが用いられることが望ましい。例えば、ＷＷＡＮ端末２００Ｂは、上記ステップＳ１１０で受信した接続選択ポリシー、及び自身が有する接続先選択ポリシーの双方に基づいて、ＷＬＡＮ端末１００が接続すべきＷＬＡＮ５００を選択する。具体的には、ＷＷＡＮ端末２００Ｂは、双方の接続先選択ポリシーにおける優先順位や、ＲＳＳＩ及び通信速度等に基づいて、条件のよいＷＬＡＮ５００の接続先選択ポリシーを選択的に送信してもよい。
【００９９】
そして、ステップＳ１１８で、ＷＬＡＮ端末１００は、ＷＷＡＮ端末２００の加入者識別情報を用いて、ＷＬＡＮ５００への認証処理を行う。本シーケンスでは、ＷＷＡＮ端末２００Ｂの加入者識別情報が用いられるものとする。本ステップにおいては、上記ステップＳ１１４で確立された通信路を用いて、ＥＡＰ認証処理のためのメッセージの送受信が行われる。本ステップにおける詳細な処理については、図１１及び図１２を参照して後述する。
【０１００】
これにより、ステップＳ１２０で、ＷＬＡＮ端末１００と基地局５１０との間で接続が確立する。ＷＬＡＮ端末１００は、基地局５１０を介してサービスネットワーク４００を利用する。利用し得るサービスとしては、例えばVoice  over  Wi-Fi、Video  over  Wi-Fi等のＩＭＳサービスが考えられる。
【０１０１】
（ＥＡＰ認証処理）
以下、図１１及び１２を参照して、ＷＷＡＮ端末２００の加入者識別情報を用いたＥＡＰ認証処理の詳細な内容を説明する。なお、図１１及び図１２に登場するＷＷＡＮ端末２００は、ＷＬＡＮ端末１００によるＷＬＡＮ５００への認証のために用いられる加入者識別情報を有する端末である。つまり、ＷＷＡＮ端末２００Ａの加入者識別情報が用いられる場合は、以下の説明における「ＷＷＡＮ端末２００」を「ＷＷＡＮ端末２００Ａ」に読み替えればよい。また、ＷＷＡＮ端末２００Ｂの加入者識別情報が用いられる場合は、以下の説明における「ＷＷＡＮ端末２００」を「ＷＷＡＮ端末２００Ｂ」に読み替えればよい。
【０１０２】
図１１及び図１２は、本実施形態に係る無線通信システム１において実行されるＥＡＰ認証処理の流れの一例を示すシーケンス図である。図１１及び図１２に示すように、本シーケンスには、基地局３１０、ＷＷＡＮ端末２００、ＷＬＡＮ端末１００、基地局５１０、認証サーバ３４０、及び加入者情報サーバ３３０が関与する。なお、ＷＬＡＮ端末１００及びＷＷＡＮ端末２００に関しては、メッセージのやり取りに用いられる通信モジュールを、「モジュール」という文言を省略して記載している。例えば、ＷＬＡＮ（Ｗｉ−Ｆｉ）モジュール１１２を起点又は終点とするメッセージは、ＷＬＡＮモジュール１１２により送受信されることを示している。ＢＴモジュール１１４、ＷＷＡＮモジュール２１２、及びＢＴモジュール２１６についても同様である。
【０１０３】
ここで、上述したように、ＷＬＡＮ端末１００とＷＷＡＮ端末２００との間では通信路が確立されており、この通信路を用いてＥＡＰ認証処理のためのメッセージの送受信が行われる。一例として、本シーケンスでは、ＷＬＡＮ端末１００とＷＷＡＮ端末２００との間でＢｌｕｅｔｏｏｔｈを用いた無線接続が確立されているものとする。もちろん、Ｂｌｕｅｔｏｏｔｈ以外の、例えばＷｉ−Ｆｉ  Ｄｉｒｅｃｔ等の任意の通信方式により無線接続が確立されていてもよい。
【０１０４】
図１１に示すように、まず、ステップＳ２０２で、ＷＬＡＮ端末１００は、基地局５１０へＡｓｓｏｃｉａｔｉｏｎを行う。ＷＬＡＮ端末１００は、Ａｓｓｏｃｉａｔｉｏｎにより、認証処理のための論理的な接続を確立する。ＷＬＡＮ端末１００は、認証処理以外の、例えばデータ通信を行うことはまだできない。
【０１０５】
次いで、ステップＳ２０４で、ＷＬＡＮ端末１００は、基地局５１０へ、ＥＡＰｏＬ−Ｓｔａｒｔを送信する。
【０１０６】
次いで、ステップＳ２０６で、基地局５１０は、ＷＬＡＮ端末１００へＥＡＰ−Ｒｅｑｕｅｓｔ／Ｉｄｅｎｔｉｔｙを送信する。
【０１０７】
次に、ステップＳ２０８で、ＷＬＡＮ端末１００は、ＷＷＡＮ端末２００へ、ステップＳ２０６で受信したＥＡＰ−Ｒｅｑｕｅｓｔ／Ｉｄｅｎｔｉｔｙを送信する。このメッセージは、ＷＷＡＮ端末２００に対して、ＥＡＰ−ＡＫＡで必要となるＩｄｅｎｔｉｔｙを生成するよう要求するメッセージである。
【０１０８】
次いで、ステップＳ２１０で、ＷＷＡＮ端末２００は、自身が有する加入者識別モジュール２３０を参照して、Ｉｄｅｎｔｉｔｙを生成する。例えば、制御部２４０は、加入者識別モジュール２３０であるＳＩＭカードに記録された情報に基づいて、Ｉｄｅｎｔｉｔｙを生成する。認証プロトコルがＥＡＰ−ＡＫＡの場合、ＩＭＳＩをもとにＩｄｅｎｔｉｔｙが生成される。
【０１０９】
なお、ＩＭＳＩのフォーマットは以下の通りである。
＜ＭＣＣ：３桁＞＜ＭＮＣ：２又は３桁＞＜ＭＳＩＮ：最大１０桁＞
【０１１０】
ここで、ＭＣＣ（Mobile  Country  Code）は、国を示す情報であり、ＭＮＣ（Mobile  Network  Code）は、事業者を示す情報であり、ＭＳＩＮ（Mobile Subscriber Identification Number）は、加入者識別コードを示す情報である。
【０１１１】
また、Ｉｄｅｎｔｉｔｙのフォーマットは以下の通りである。
０＜ＩＭＳＩ＞＠ｗｌａｎ．ｍｎｃ＜ＭＮＣ＞．ｍｃｃ＜ＭＣＣ＞．３ｇｐｐｎｅｔｗｏｒｋ．ｏｒｇ
【０１１２】
例えば、ＭＮＣが３桁であり、ＩＭＳＩが「１２３４５６０１２３４５６７８」であった場合を想定する。この場合、Ｉｄｅｎｔｉｔｙは、「０１２３４５６０１２３４５６７８＠ｗｌａｎ．ｍｎｃ４５６．ｍｃｃ１２３．３ｇｐｐｎｅｔｗｏｒｋ．ｏｒｇ」となる。以上、ステップＳ２１０におけるＩｄｅｎｔｉｔｙの生成処理について説明した。
【０１１３】
次に、ステップＳ２１２で、ＷＷＡＮ端末２００は、ＥＡＰ−Ｒｅｓｐｏｎｓｅ／Ｉｄｅｎｔｉｔｙを、ＷＬＡＮ端末１００へ返信する。このメッセージには、ステップＳ２１０において生成されたＩｄｅｎｔｉｔｉｙが格納されている。
【０１１４】
次いで、ステップＳ２１４で、ＷＬＡＮ端末１００は、受信したＥＡＰ−Ｒｅｓｐｏｎｓｅ／Ｉｄｅｎｔｉｔｙを、基地局５１０へ転送する。
【０１１５】
次に、ステップＳ２１６で、基地局５１０は、ＲＡＤＩＵＳ−Ａｃｃｅｓｓ−Ｒｅｑｕｅｓｔを認証サーバ３４０へ送信する。このメッセージには、ＷＷＡＮ端末２００により生成されたＩｄｅｎｔｉｔｙが格納される。
【０１１６】
次いで、ステップＳ２１８で、認証サーバ３４０は、Ｒｅｔｒｅｉｖｅ−Ａｕｔｈｅｎｔｉｃａｔｉｏｎ−Ｖｅｃｔｏｒを加入者情報サーバ３３０へ送信して、Ｉｄｅｎｔｉｔｉｙに対する認証ベクタを要求する。このメッセージには、ＷＷＡＮ端末２００により生成されたＩｄｅｎｔｉｔｙが格納される。認証ベクタとは、接続してきた端末を認証する際に必要とされる情報の集合であり、ＥＡＰ−ＡＫＡの場合は以下の情報から構成される。
【０１１７】
ＲＡＮＤ：ランダム値。チャレンジとして利用される。
ＡＵＴＮ：端末がネットワークを認証するための値。
ＸＲＥＳ：チャレンジに対して期待される応答値。
ＩＫ    ：メッセージ完全性検証用鍵。
ＣＫ    ：メッセージ暗号化用鍵。
【０１１８】
次に、ステップＳ２２０で、加入者情報サーバ３３０は、ＡＫＡアルゴリズムを実行して、受信したメッセージに格納されたＩｄｅｎｔｉｔｉｙに対応する認証ベクタを生成する。
【０１１９】
次いで、図１２に示すように、ステップＳ２２２で、加入者情報サーバ３３０は、生成した認証ベクタを認証サーバ３４０へ送信する。
【０１２０】
次に、ステップＳ２２４で、認証サーバ３４０は、ＲＡＤＩＵＳ−Ａｃｃｅｓｓ−Ｃｈａｌｌｅｎｇｅを基地局５１０へ送信する。このメッセージには、加入者情報サーバ３３０により生成された認証ベクタが格納される。ここで、認証サーバ３４０は、新たにＭＡＣ（Message  Authentication  Code）を算出して、メッセージに追加する。このＭＡＣは、ＷＬＡＮ端末１００がこのメッセージの完全性（Integrity）を検証するために用いられる。
【０１２１】
次いで、ステップＳ２２６で、基地局５１０は、ＥＡＰ−Ｒｅｑｕｅｓｔ／ＡＫＡ−ＣｈａｌｌｅｎｇｅをＷＬＡＮ端末１００へ送信する。このメッセージには、認証ベクタのＲＡＮＤ及びＡＵＴＮ、並びにＭＡＣが含まれる。認証ベクタのＸＲＥＳ、ＩＫ及びＣＫは基地局５１０により保持され、ＷＬＡＮ端末１００へは送信されない。
【０１２２】
次に、ステップＳ２２８で、ＷＬＡＮ端末１００は、ＥＡＰ−Ｒｅｑｕｅｓｔ／ＡＫＡ−ＣｈａｌｌｅｎｇｅをＷＷＡＮ端末２００へ送信する。このメッセージは、ＷＷＡＮ端末２００に対して、応答値（ＲＥＳ）及びセッション鍵(ＩＫ，ＣＫ)を生成するよう要求するメッセージである。
【０１２３】
次いで、ステップＳ２３０で、ＷＷＡＮ端末２００は、ＡＫＡアルゴリズムを実行して、受信したＥＡＰ−Ｒｅｑｕｅｓｔ／ＡＫＡ−Ｃｈａｌｌｅｎｇｅに対応するＲＥＳ、ＭＡＣ、及びセッション鍵（ＩＫ、ＣＫ）を生成する。
【０１２４】
次に、ステップＳ２３２で、ＷＷＡＮ端末２００は、ＥＡＰ−Ｒｅｓｐｏｎｓｅ／ＡＫＡ−ＣｈａｌｌｅｎｇｅをＷＬＡＮ端末１００へ送信する。このメッセージには、ＷＷＡＮ端末２００が生成したＲＥＳ、ＭＡＣ、及びセッション鍵が格納される。
【０１２５】
次いで、ステップＳ２３４で、ＷＬＡＮ端末１００は、受信したＥＡＰ−Ｒｅｓｐｏｎｓｅ／ＡＫＡ−Ｃｈａｌｌｅｎｇｅを基地局５１０へ転送する。
【０１２６】
次に、ステップＳ２３６で、基地局５１０は、ＲＡＤＩＵＳ−Ａｃｃｅｓｓ−Ｒｅｑｕｅｓｔを認証サーバ３４０へ送信する。このメッセージには、ＷＷＡＮ端末２００により生成されたＲＥＳ、ＭＡＣ、及びセッション鍵（ＩＫ、ＣＫ）が格納される。
【０１２７】
次いで、ステップＳ２３８で、認証サーバ３４０は、受信したＲＥＳを検証する。詳しくは、認証サーバ３４０は、ＷＷＡＮ端末２００により生成されたＲＥＳと加入者情報サーバ３３０により生成されたＸＲＥＳとが一致すること、及びＭＡＣによりメッセージの完全性を検証する。
【０１２８】
次に、ステップＳ２４０で、認証サーバ３４０は、ＲＡＤＩＵＳ−Ａｃｃｅｓｓ−Ａｃｃｅｐｔを基地局５１０へ送信する。このメッセージは、接続を許可することを示すものである。
【０１２９】
次いで、ステップＳ２４２で、基地局５１０は、ＥＡＰ−ＳｕｃｃｅｓｓをＷＬＡＮ端末１００へ送信する。このメッセージは、ＷＬＡＮ端末１００に対して、認証処理が成功したことを示すものである。
【０１３０】
次に、ステップＳ２４４で、基地局５１０は、ＥＡＰｏＬ−ＫｅｙをＷＬＡＮ端末１００へ送信する。このメッセージは、ＷＬＡＮ端末１００と基地局５１０との間で使用する暗号化通信用の鍵を送付するものである。
【０１３１】
以上説明したＥＡＰ認証処理を経て、ステップＳ２４６で、ＷＬＡＮ端末１００と基地局５１０との間で、ＷＬＡＮ通信のための接続が完了する。これにより、ＷＬＡＮ端末１００と基地局５１０との間で、例えばＷｉ−Ｆｉを用いたデータ通信が開始される。
【０１３２】
（接続処理２）
図１３は、本本実施形態に係る無線通信システム１において実行される接続処理の流れの一例を示すシーケンス図である。図１３に示すように、本シーケンスには、基地局３１０、ＷＷＡＮ端末２００Ａ、ＷＬＡＮ端末１００及びＷＷＡＮ端末２００Ｂが関与する。本シーケンスは、図２及び図４に対応するシーケンスである。
【０１３３】
図１３に示すように、ステップＳ３０２〜Ｓ３１０において、図１０に示したステップＳ１０２〜Ｓ１１０と同様の処理が行われる。ただし、ＷＷＡＮ端末２００Ａから基地局３１０を経由してＷＷＡＮ端末２００Ｂに送信される情報のうち、リンク情報は省略されてもよい。
【０１３４】
次いで、ステップＳ３１２で、ＷＷＡＮ端末２００Ｂは、ネットワーク起動処理を行う。ここで、後のステップＳ３１６において、ＷＷＡＮ端末２００Ａの加入者識別情報を用いた認証処理が行われる場合、本ステップにおいてＷＷＡＮ端末２００Ａの接続先選択ポリシーが用いられることが望ましい。例えば、ＷＷＡＮ端末２００Ｂは、上記ステップＳ３１０で受信した接続先選択ポリシーや認証のための情報に基づいて、基地局５１０としての機能を起動して、ＷＬＡＮ５００を形成する。ＷＷＡＮ端末２００Ｂは、ＷＷＡＮ通信機能及びＷＬＡＮ通信機能を維持したまま基地局５１０としての機能を起動してもよいし、アクセスポイント専用端末として再起動してもよい。
【０１３５】
次に、ステップＳ３１４で、基地局５１０（即ち、基地局５１０として機能するＷＷＡＮ端末２００Ｂ）は、周囲にビーコンを送信する。図１３では、ＷＬＡＮ端末１００が、上記ステップＳ３０４で共有した接続先選択ポリシーに該当するビーコンとして、基地局５１０により送信されたビーコンを受信した様子を示している。ＷＬＡＮ端末１００は、接続先選択ポリシーに該当するか否かを、ＳＳＩＤにより識別し得る。
【０１３６】
そして、ステップＳ３１６で、ＷＬＡＮ端末１００は、ＷＷＡＮ端末２００の加入者識別情報を用いて、ＷＬＡＮ５００への認証処理を行う。本シーケンスでは、ＷＷＡＮ端末２００Ａの加入者識別情報が用いられるものとする。本ステップにおいては、上記ステップＳ３０２で確立された通信路を用いて、ＥＡＰ認証処理のためのメッセージの送受信が行われる。本ステップにおける詳細な処理については、図１１及び図１２を参照して上記説明した通りである。
【０１３７】
これにより、ステップＳ３１８で、ＷＬＡＮ端末１００と基地局５１０との間で接続が確立する。
【０１３８】
＜＜５．応用例＞＞
本開示に係る技術は、様々な製品へ応用可能である。例えば、無線通信装置１００及び２００は、スマートフォン、タブレットＰＣ（Personal  Computer）、ノートＰＣ、携帯型ゲーム端末若しくはデジタルカメラなどのモバイル端末、テレビジョン受像機、プリンタ、デジタルスキャナ若しくはネットワークストレージなどの固定端末、又はカーナビゲーション装置などの車載端末として実現されてもよい。また、無線通信装置１００及び２００は、スマートメータ、自動販売機、遠隔監視装置又はＰＯＳ（Point  Of  Sale）端末などの、Ｍ２Ｍ（Machine  To  Machine）通信を行う端末（ＭＴＣ（Machine  Type  Communication）端末ともいう）として実現されてもよい。さらに、無線通信装置１００及び２００は、これら端末に搭載される無線通信モジュール（例えば、１つのダイで構成される集積回路モジュール）であってもよい。
【０１３９】
＜５．１．第１の応用例＞
図１４は、本開示に係る技術が適用され得るスマートフォン９００の概略的な構成の一例を示すブロック図である。スマートフォン９００は、プロセッサ９０１、メモリ９０２、ストレージ９０３、外部接続インタフェース９０４、カメラ９０６、センサ９０７、マイクロフォン９０８、入力デバイス９０９、表示デバイス９１０、スピーカ９１１、無線通信インタフェース９１３、アンテナスイッチ９１４、アンテナ９１５、バス９１７、バッテリー９１８及び補助コントローラ９１９を備える。
【０１４０】
プロセッサ９０１は、例えばＣＰＵ（Central  Processing  Unit）又はＳｏＣ（System  on  Chip）であってよく、スマートフォン９００のアプリケーションレイヤ及びその他のレイヤの機能を制御する。メモリ９０２は、ＲＡＭ（Random  Access  Memory）及びＲＯＭ（Read  Only  Memory）を含み、プロセッサ９０１により実行されるプログラム及びデータを記憶する。ストレージ９０３は、半導体メモリ又はハードディスクなどの記憶媒体を含み得る。外部接続インタフェース９０４は、メモリーカード又はＵＳＢ（Universal  Serial  Bus）デバイスなどの外付けデバイスをスマートフォン９００へ接続するためのインタフェースである。
【０１４１】
カメラ９０６は、例えば、ＣＣＤ（Charge  Coupled  Device）又はＣＭＯＳ（Complementary  Metal  Oxide  Semiconductor）などの撮像素子を有し、撮像画像を生成する。センサ９０７は、例えば、測位センサ、ジャイロセンサ、地磁気センサ及び加速度センサなどのセンサ群を含み得る。マイクロフォン９０８は、スマートフォン９００へ入力される音声を音声信号へ変換する。入力デバイス９０９は、例えば、表示デバイス９１０の画面上へのタッチを検出するタッチセンサ、キーパッド、キーボード、ボタン又はスイッチなどを含み、ユーザからの操作又は情報入力を受け付ける。表示デバイス９１０は、液晶ディスプレイ（ＬＣＤ）又は有機発光ダイオード（ＯＬＥＤ）ディスプレイなどの画面を有し、スマートフォン９００の出力画像を表示する。スピーカ９１１は、スマートフォン９００から出力される音声信号を音声に変換する。
【０１４２】
無線通信インタフェース９１３は、ＩＥＥＥ８０２．１１ａ、１１ｂ、１１ｇ、１１ｎ、１１ａｃ及び１１ａｄなどの無線ＬＡＮ標準のうちの１つ以上をサポートし、無線通信を実行する。無線通信インタフェース９１３は、インフラストラクチャーモードにおいては、他の装置と無線ＬＡＮアクセスポイントを介して通信し得る。また、無線通信インタフェース９１３は、アドホックモード又はＷｉ−Ｆｉ  Ｄｉｒｅｃｔ（登録商標）等のダイレクト通信モードにおいては、他の装置と直接的に通信し得る。なお、Ｗｉ−Ｆｉ  Ｄｉｒｅｃｔでは、アドホックモードとは異なり２つの端末の一方がアクセスポイントとして動作するが、通信はそれら端末間で直接的に行われる。無線通信インタフェース９１３は、典型的には、ベースバンドプロセッサ、ＲＦ（Radio  Frequency）回路及びパワーアンプなどを含み得る。無線通信インタフェース９１３は、通信制御プログラムを記憶するメモリ、当該プログラムを実行するプロセッサ及び関連する回路を集積したワンチップのモジュールであってもよい。無線通信インタフェース９１３は、無線ＬＡＮ方式に加えて、近距離無線通信方式、近接無線通信方式又はセルラ通信方式などの他の種類の無線通信方式をサポートしてもよい。アンテナスイッチ９１４は、無線通信インタフェース９１３に含まれる複数の回路（例えば、異なる無線通信方式のための回路）の間でアンテナ９１５の接続先を切り替える。アンテナ９１５は、単一の又は複数のアンテナ素子（例えば、ＭＩＭＯアンテナを構成する複数のアンテナ素子）を有し、無線通信インタフェース９１３による無線信号の送信及び受信のために使用される。
【０１４３】
なお、図１４の例に限定されず、スマートフォン９００は、複数のアンテナ（例えば、無線ＬＡＮ用のアンテナ及び近接無線通信方式用のアンテナ、など）を備えてもよい。その場合に、アンテナスイッチ９１４は、スマートフォン９００の構成から省略されてもよい。
【０１４４】
バス９１７は、プロセッサ９０１、メモリ９０２、ストレージ９０３、外部接続インタフェース９０４、カメラ９０６、センサ９０７、マイクロフォン９０８、入力デバイス９０９、表示デバイス９１０、スピーカ９１１、無線通信インタフェース９１３及び補助コントローラ９１９を互いに接続する。バッテリー９１８は、図中に破線で部分的に示した給電ラインを介して、図１４に示したスマートフォン９００の各ブロックへ電力を供給する。補助コントローラ９１９は、例えば、スリープモードにおいて、スマートフォン９００の必要最低限の機能を動作させる。
【０１４５】
図１４に示したスマートフォン９００において、図５を用いて説明したＷＬＡＮ端末１００に含まれるひとつ以上の構成要素（例えば、記憶部１２０又は制御部１３０の少なくともいずれか）は、無線通信インタフェース９１３において実装されてもよい。また、これら構成要素の少なくとも一部は、プロセッサ９０１又は補助コントローラ９１９において実装されてもよい。一例として、スマートフォン９００は、無線通信インタフェース９１３、プロセッサ９０１、及び／又は補助コントローラ９１９を含むモジュールを搭載し、当該モジュールにおいて上記ひとつ以上の構成要素が実装されてもよい。この場合に、上記モジュールは、プロセッサを上記ひとつ以上の構成要素として機能させるためのプログラム（換言すると、プロセッサに上記ひとつ以上の構成要素の動作を実行させるためのプログラム）を記憶し、当該プログラムを実行してもよい。別の例として、プロセッサを上記ひとつ以上の構成要素として機能させるためのプログラムがスマートフォン９００にインストールされ、無線通信インタフェース９１３、プロセッサ９０１、及び／又は補助コントローラ９１９が当該プログラムを実行してもよい。以上のように、上記ひとつ以上の構成要素を備える装置としてスマートフォン９００又は上記モジュールが提供されてもよく、プロセッサを上記ひとつ以上の構成要素として機能させるためのプログラムが提供されてもよい。また、上記プログラムを記録した読み取り可能な記録媒体が提供されてもよい。
【０１４６】
図１４に示したスマートフォン９００において、図６を用いて説明したＷＷＡＮ端末２００に含まれるひとつ以上の構成要素（例えば、記憶部２２０、加入者識別モジュール２３０又は制御部２４０の少なくともいずれか）は、無線通信インタフェース９１３において実装されてもよい。また、これら構成要素の少なくとも一部は、プロセッサ９０１又は補助コントローラ９１９において実装されてもよい。一例として、スマートフォン９００は、無線通信インタフェース９１３、プロセッサ９０１、及び／又は補助コントローラ９１９を含むモジュールを搭載し、当該モジュールにおいて上記ひとつ以上の構成要素が実装されてもよい。この場合に、上記モジュールは、プロセッサを上記ひとつ以上の構成要素として機能させるためのプログラム（換言すると、プロセッサに上記ひとつ以上の構成要素の動作を実行させるためのプログラム）を記憶し、当該プログラムを実行してもよい。別の例として、プロセッサを上記ひとつ以上の構成要素として機能させるためのプログラムがスマートフォン９００にインストールされ、無線通信インタフェース９１３、プロセッサ９０１、及び／又は補助コントローラ９１９が当該プログラムを実行してもよい。以上のように、上記ひとつ以上の構成要素を備える装置としてスマートフォン９００又は上記モジュールが提供されてもよく、プロセッサを上記ひとつ以上の構成要素として機能させるためのプログラムが提供されてもよい。また、上記プログラムを記録した読み取り可能な記録媒体が提供されてもよい。
【０１４７】
なお、スマートフォン９００は、プロセッサ９０１がアプリケーションレベルでアクセスポイント機能を実行することにより、無線アクセスポイント（ソフトウェアＡＰ）として動作してもよい。また、無線通信インタフェース９１３が無線アクセスポイント機能を有していてもよい。
【０１４８】
＜５．２．第２の応用例＞
図１５は、本開示に係る技術が適用され得るカーナビゲーション装置９２０の概略的な構成の一例を示すブロック図である。カーナビゲーション装置９２０は、プロセッサ９２１、メモリ９２２、ＧＰＳ（Global  Positioning  System）モジュール９２４、センサ９２５、データインタフェース９２６、コンテンツプレーヤ９２７、記憶媒体インタフェース９２８、入力デバイス９２９、表示デバイス９３０、スピーカ９３１、無線通信インタフェース９３３、アンテナスイッチ９３４、アンテナ９３５及びバッテリー９３８を備える。
【０１４９】
プロセッサ９２１は、例えばＣＰＵ又はＳｏＣであってよく、カーナビゲーション装置９２０のナビゲーション機能及びその他の機能を制御する。メモリ９２２は、ＲＡＭ及びＲＯＭを含み、プロセッサ９２１により実行されるプログラム及びデータを記憶する。
【０１５０】
ＧＰＳモジュール９２４は、ＧＰＳ衛星から受信されるＧＰＳ信号を用いて、カーナビゲーション装置９２０の位置（例えば、緯度、経度及び高度）を測定する。センサ９２５は、例えば、ジャイロセンサ、地磁気センサ及び気圧センサなどのセンサ群を含み得る。データインタフェース９２６は、例えば、図示しない端子を介して車載ネットワーク９４１に接続され、車速データなどの車両側で生成されるデータを取得する。
【０１５１】
コンテンツプレーヤ９２７は、記憶媒体インタフェース９２８に挿入される記憶媒体（例えば、ＣＤ又はＤＶＤ）に記憶されているコンテンツを再生する。入力デバイス９２９は、例えば、表示デバイス９３０の画面上へのタッチを検出するタッチセンサ、ボタン又はスイッチなどを含み、ユーザからの操作又は情報入力を受け付ける。表示デバイス９３０は、ＬＣＤ又はＯＬＥＤディスプレイなどの画面を有し、ナビゲーション機能又は再生されるコンテンツの画像を表示する。スピーカ９３１は、ナビゲーション機能又は再生されるコンテンツの音声を出力する。
【０１５２】
無線通信インタフェース９３３は、ＩＥＥＥ８０２．１１ａ、１１ｂ、１１ｇ、１１ｎ、１１ａｃ及び１１ａｄなどの無線ＬＡＮ標準のうちの１つ以上をサポートし、無線通信を実行する。無線通信インタフェース９３３は、インフラストラクチャーモードにおいては、他の装置と無線ＬＡＮアクセスポイントを介して通信し得る。また、無線通信インタフェース９３３は、アドホックモード又はＷｉ−Ｆｉ  Ｄｉｒｅｃｔ等のダイレクト通信モードにおいては、他の装置と直接的に通信し得る。無線通信インタフェース９３３は、典型的には、ベースバンドプロセッサ、ＲＦ回路及びパワーアンプなどを含み得る。無線通信インタフェース９３３は、通信制御プログラムを記憶するメモリ、当該プログラムを実行するプロセッサ及び関連する回路を集積したワンチップのモジュールであってもよい。無線通信インタフェース９３３は、無線ＬＡＮ方式に加えて、近距離無線通信方式、近接無線通信方式又はセルラ通信方式などの他の種類の無線通信方式をサポートしてもよい。アンテナスイッチ９３４は、無線通信インタフェース９３３に含まれる複数の回路の間でアンテナ９３５の接続先を切り替える。アンテナ９３５は、単一の又は複数のアンテナ素子を有し、無線通信インタフェース９３３による無線信号の送信及び受信のために使用される。
【０１５３】
なお、図１５の例に限定されず、カーナビゲーション装置９２０は、複数のアンテナを備えてもよい。その場合に、アンテナスイッチ９３４は、カーナビゲーション装置９２０の構成から省略されてもよい。
【０１５４】
バッテリー９３８は、図中に破線で部分的に示した給電ラインを介して、図１５に示したカーナビゲーション装置９２０の各ブロックへ電力を供給する。また、バッテリー９３８は、車両側から給電される電力を蓄積する。
【０１５５】
図１５に示したカーナビゲーション装置９２０において、図５を用いて説明したＷＬＡＮ端末１００に含まれるひとつ以上の構成要素（例えば、記憶部１２０又は制御部１３０の少なくともいずれか）は、無線通信インタフェース９３３において実装されてもよい。また、これら機能の少なくとも一部は、プロセッサ９２１において実装されてもよい。一例として、カーナビゲーション装置９２０は、無線通信インタフェース９３３、及び／又はプロセッサ９２１を含むモジュールを搭載し、当該モジュールにおいて上記ひとつ以上の構成要素が実装されてもよい。この場合に、上記モジュールは、プロセッサを上記ひとつ以上の構成要素として機能させるためのプログラム（換言すると、プロセッサに上記ひとつ以上の構成要素の動作を実行させるためのプログラム）を記憶し、当該プログラムを実行してもよい。別の例として、プロセッサを上記ひとつ以上の構成要素として機能させるためのプログラムがカーナビゲーション装置９２０にインストールされ、無線通信インタフェース９３３、及び／又はプロセッサ９２１が当該プログラムを実行してもよい。以上のように、上記ひとつ以上の構成要素を備える装置としてカーナビゲーション装置９２０又は上記モジュールが提供されてもよく、プロセッサを上記ひとつ以上の構成要素として機能させるためのプログラムが提供されてもよい。また、上記プログラムを記録した読み取り可能な記録媒体が提供されてもよい。
【０１５６】
図１５に示したカーナビゲーション装置９２０において、図６を用いて説明したＷＷＡＮ端末２００に含まれるひとつ以上の構成要素（例えば、記憶部２２０、加入者識別モジュール２３０又は制御部２４０の少なくともいずれか）は、無線通信インタフェース９３３において実装されてもよい。また、これら機能の少なくとも一部は、プロセッサ９２１において実装されてもよい。一例として、カーナビゲーション装置９２０は、無線通信インタフェース９３３、及び／又はプロセッサ９２１を含むモジュールを搭載し、当該モジュールにおいて上記ひとつ以上の構成要素が実装されてもよい。この場合に、上記モジュールは、プロセッサを上記ひとつ以上の構成要素として機能させるためのプログラム（換言すると、プロセッサに上記ひとつ以上の構成要素の動作を実行させるためのプログラム）を記憶し、当該プログラムを実行してもよい。別の例として、プロセッサを上記ひとつ以上の構成要素として機能させるためのプログラムがカーナビゲーション装置９２０にインストールされ、無線通信インタフェース９３３、及び／又はプロセッサ９２１が当該プログラムを実行してもよい。以上のように、上記ひとつ以上の構成要素を備える装置としてカーナビゲーション装置９２０又は上記モジュールが提供されてもよく、プロセッサを上記ひとつ以上の構成要素として機能させるためのプログラムが提供されてもよい。また、上記プログラムを記録した読み取り可能な記録媒体が提供されてもよい。
【０１５７】
また、本開示に係る技術は、上述したカーナビゲーション装置９２０の１つ以上のブロックと、車載ネットワーク９４１と、車両側モジュール９４２とを含む車載システム（又は車両）９４０として実現されてもよい。車両側モジュール９４２は、車速、エンジン回転数又は故障情報などの車両側データを生成し、生成したデータを車載ネットワーク９４１へ出力する。
【０１５８】
＜＜６．まとめ＞＞
以上、図１〜図１５を参照して、本開示の一実施形態について詳細に説明した。上記説明したように、ＷＷＡＮ３００に接続して無線通信を行うことが可能なＷＷＡＮ端末２００Ｂは、ＷＷＡＮ３００を経由して受信されたＷＷＡＮ端末２００Ａの接続先選択ポリシーに対応するＷＬＡＮ５００への、ＷＬＡＮ端末１００による接続を支援する。これにより、ＷＬＡＮ端末１００は、単体で又はＷＷＡＮ端末２００Ａを経由してもＷＬＡＮ５００に接続することが困難な場合であっても、ＷＷＡＮ端末２００Ｂによる支援によりＷＬＡＮ５００に接続することが可能となる。このように、ＷＬＡＮ端末１００は、より容易にネットワークに接続することが可能となる。
【０１５９】
ＷＷＡＮ端末２００Ｂは、受信した接続先選択ポリシーを用いて、自身でＷＬＡＮ５００を形成する、又は他のＷＬＡＮ５００にＷＬＡＮ端末１００を接続させる。いずれにしろ、ＷＷＡＮ端末２００Ａは、テザリング又はリレーを実施しないため、省電力化が実現される。また、ＷＷＡＮ端末２００Ｂは、他のＷＬＡＮ５００にＷＬＡＮ端末１００を接続させる場合には、テザリング又はリレーを実施しないため、省電力化が実現される。
【０１６０】
ＷＬＡＮ端末１００は、ＷＷＡＮ端末２００Ａの加入者識別情報、又はＷＷＡＮ端末２００Ｂの加入者識別情報を用いてＷＬＡＮ５００への認証処理を行うことができる。このため、ＷＬＡＮ端末１００が加入者識別情報を有していない場合であっても、インターネットを利用することが可能となる。また、ＷＷＡＮ端末２００Ｂの加入者識別情報を用いる場合、ＷＬＡＮ端末１００のユーザは、自身の持つＷＷＡＮ端末２００Ａのサービスと同等又はそれ以上のサービスを利用できる可能性がある。例えば、自身が使用するＷＷＡＮ端末２００Ａ向けのサービスの通信速度が５００ｋｂｐｓであっても、他者が使用するＷＷＡＮ端末２００Ｂ向けのサービスの通信速度が１Ｍｂｐｓである場合、ＷＬＡＮ端末１００は、１Ｍｂｐｓのサービスを利用することができる。
【０１６１】
また、通信事業者は、ＷＬＡＮ端末１００からのリクエストを許可したＷＷＡＮ端末２００Ｂに対して通信料金を割り引く等のインセンティブを与え、ＷＬＡＮ端末１００に対して課金・決済を実施してもよい。このように、本技術は、通信事業者によるマネタイズにも資することができる。
【０１６２】
以上、添付図面を参照しながら本開示の好適な実施形態について詳細に説明したが、本開示の技術的範囲はかかる例に限定されない。本開示の技術分野における通常の知識を有する者であれば、請求の範囲に記載された技術的思想の範疇内において、各種の変更例または修正例に想到し得ることは明らかであり、これらについても、当然に本開示の技術的範囲に属するものと了解される。
【０１６３】
例えば、図２では、ＷＷＡＮ端末２００Ｂが基地局５１０として機能する例を示したが、本技術はかかる例に限定されない。例えば、基地局５１０として機能する装置が、ＷＷＡＮ端末２００Ｂと分離した装置として形成されてもよい。
【０１６４】
また、上記実施形態では、ＷＷＡＮ端末２００Ｂは、ＷＷＡＮ端末２００Ａの位置情報に基づいて選定される例を説明したが、本技術はかかる例に限定されない。例えば、ＷＷＡＮ端末２００Ｂは、ＷＷＡＮ端末２００Ａの接続先選択ポリシーに基づいて選択されてもよい。例えば、接続先選択ポリシーが類似するＷＷＡＮ端末２００や、接続先選択ポリシーに含まれる情報が示す位置と近いＷＷＡＮ端末２００が、ＷＷＡＮ端末２００Ｂとして選定されてもよい。
【０１６５】
また、本明細書に記載された効果は、あくまで説明的または例示的なものであって限定的ではない。つまり、本開示に係る技術は、上記の効果とともに、または上記の効果に代えて、本明細書の記載から当業者には明らかな他の効果を奏しうる。
【０１６６】
なお、以下のような構成も本開示の技術的範囲に属する。
（１）
第１のネットワークに接続して無線通信を行う第１の無線通信部と、
前記第１の無線通信部により受信された他の無線通信装置の接続先選択ポリシーに対応する第２のネットワークへの、前記他の無線通信装置に関連する無線端末による接続を支援する制御部と、
を備える無線通信装置。
（２）
前記無線通信装置は、前記第２のネットワークを形成して前記無線端末と無線通信を行う第２の無線通信部をさらに含み、
前記制御部は、前記接続先選択ポリシーが受信された場合に前記第２のネットワークを形成するよう前記第２の無線通信部を制御する、前記（１）に記載の無線通信装置。
（３）
前記接続先選択ポリシーは、通信方式、優先順位及び識別情報に関する情報を含む、前記（２）に記載の無線通信装置。
（４）
前記制御部は、前記接続先選択ポリシーに含まれる優先順位の高い識別情報を用いて前記第２のネットワークを形成するよう前記第２の無線通信部を制御する、前記（３）に記載の無線通信装置。
（５）
前記第２の無線通信部は、無線ＬＡＮのアクセスポイントとして又はＷｉ−Ｆｉ  Ｄｉｒｅｃｔ（登録商標）のＰ２Ｐ  Ｇｒｕｏｐ  Ｏｗｎｅｒとして前記第２のネットワークを形成する、前記（２）〜（４）のいずれか一項に記載の無線通信装置。
（６）
前記制御部は、前記無線端末と前記第１のネットワークとの通信を中継するよう前記第１の無線通信部及び前記第２の無線通信部を制御する、前記（２）〜（５）のいずれか一項に記載の無線通信装置。
（７）
前記制御部は、前記接続先選択ポリシーに基づいて、前記無線端末の接続先を選択する、前記（１）に記載の無線通信装置。
（８）
前記制御部は、自身の前記接続先選択ポリシーにさらに基づいて、前記無線端末の接続先を選択する、前記（７）に記載の無線通信装置。
（９）
前記第１の無線通信部は、前記無線端末とのリンクを確立するために用いられるリンク情報を受信する、前記（７）又は（８）に記載の無線通信装置。
（１０）
前記リンク情報は、前記無線端末を識別するための識別情報を含む、前記（９）に記載の無線通信装置。
（１１）
前記無線通信装置は、
前記第１のネットワークへの加入者識別情報を格納する格納部と、
前記リンク情報を用いて前記無線端末との無線通信を行う第３の無線通信部と、
をさらに備え、
前記制御部は、前記無線端末による前記第２のネットワークへのＥＡＰ（Extensible  Authentication  Protocol）認証のための認証情報を前記格納部に格納された前記加入者識別情報を用いて生成して、前記第３の無線通信部により前記無線端末へ送信する、前記（９）又は（１０）に記載の無線通信装置。
（１２）
前記第１のネットワークは、移動体通信網であり、
前記第２のネットワークは、公衆無線ＬＡＮである、前記（１）〜（１１）のいずれか一項に記載の無線通信装置。
（１３）
第１のネットワークに接続して無線通信を行う第１の無線通信部と、
自身に関連する無線端末による第２のネットワークへの接続を支援する他の無線通信装置へ前記第１のネットワークを経由して接続先選択ポリシーを送信するよう前記第１の無線通信部を制御する制御部と、
を備える無線通信装置。
（１４）
前記制御部は、周囲に前記第２のネットワークが存在する場合に、前記無線端末とのリンクを確立するために用いられるリンク情報を送信するよう前記第１の無線通信部を制御する、前記（１３）に記載の無線通信装置。
（１５）
前記無線通信装置は、
前記第１のネットワークへの加入者識別情報を格納する格納部と
前記無線端末との無線通信を行う第３の無線通信部と、
をさらに備え、
前記制御部は、前記無線端末による前記第２のネットワークへのＥＡＰ認証のための認証情報を前記格納部に格納された前記加入者識別情報を用いて生成して、前記第３の無線通信部により前記無線端末へ送信する、前記（１３）又は（１４）に記載の無線通信装置。
（１６）
前記制御部は、自身の位置情報を送信するよう前記第１の無線通信部を制御する、前記（１３）〜（１５）のいずれか一項に記載の無線通信装置。
（１７）
第１のネットワークに接続して無線通信を行う無線通信装置により、
受信された他の無線通信装置の接続先選択ポリシーに対応する第２のネットワークへの、前記他の無線通信装置に関連する無線端末による接続を支援すること、
を含む無線通信方法。
（１８）
第１のネットワークに接続して無線通信を行う無線通信装置により、
自身に関連する無線端末による第２のネットワークへの接続を支援する他の無線通信装置へ前記第１のネットワークを経由して接続先選択ポリシーを送信すること、
を含む無線通信方法。
（１９）
コンピュータを、
第１のネットワークに接続して無線通信を行う第１の無線通信部と、
前記第１の無線通信部により受信された他の無線通信装置の接続先選択ポリシーに対応する第２のネットワークへの、前記他の無線通信装置に関連する無線端末による接続を支援する制御部と、
として機能させるためのプログラム。
（２０）
コンピュータを、
第１のネットワークに接続して無線通信を行う第１の無線通信部と、
自身に関連する無線端末による第２のネットワークへの接続を支援する他の無線通信装置へ前記第１のネットワークを経由して接続先選択ポリシーを送信するよう前記第１の無線通信部を制御する制御部と、
として機能させるためのプログラム。
【符号の説明】
【０１６７】
１      無線通信システム
１００  ＷＬＡＮ端末
１１０    無線通信部
１１２    ＷＬＡＮモジュール
１１４    ＢＴモジュール
１１６    ＮＦＣモジュール
１２０    記憶部
１３０    制御部
２００  ＷＷＡＮ端末
２１０    無線通信部
２１２    ＷＷＡＮモジュール
２１４    ＷＬＡＮモジュール
２１６    ＢＴモジュール
２１８    ＮＦＣモジュール
２２０    記憶部
２３０    加入者識別モジュール
２４０    制御部
３００  ＷＷＡＮ
３１０  基地局
３２０  ゲートウェイ
３３０  加入者情報サーバ
３４０  認証サーバ
３４１    通信部
３４２    記憶部
３４３    制御部
３５０  ネットワーク情報提供サーバ
４００  サービスネットワーク
５００  ＷＬＡＮ
５１０  基地局
【図１】
2016125356.tif 000003
【図２】
2016125356.tif 000004
【図３】
2016125356.tif 000005
【図４】
2016125356.tif 000006
【図５】
2016125356.tif 000007
【図６】
2016125356.tif 000008
【図７】
2016125356.tif 000009
【図８】
2016125356.tif 000010
【図９】
2016125356.tif 000011
【図１０】
2016125356.tif 000012
【図１１】
2016125356.tif 000013
【図１２】
2016125356.tif 000014
【図１３】
2016125356.tif 000015
【図１４】
2016125356.tif 000016
【図１５】
2016125356.tif 000017
【国際調査報告】
2016125356.tif 000018
2016125356.tif 000019
2016125356.tif 000020